(57)【特許請求の範囲】
【請求項１】
送信電力値を平均化する際に使用するフィルタ係数を決定する係数決定装置であって、  送信電力値を少なくとも収集する収集手段と、
前記収集手段で収集した送信電力値の中から輻輳が発生する輻輳送信電力値を特定し、前記輻輳送信電力値に応じたフィルタ係数を選択し、該選択したフィルタ係数を、新たなフィルタ係数に決定する決定手段と、
を有し、
前記送信電力値は、所定の時間幅で測定した値であり、
前記決定手段は、
前記所定の時間幅で前記輻輳送信電力値を再現した瞬時値グラフと、前記瞬時値グラフのフィルタ係数を決定するための判断基準となる少なくとも１つの平均値グラフと、を比較し、該比較結果が所定の誤差の範囲内で一致する平均値グラフを特定し、該特定した平均値グラフを作成する際に使用したフィルタ係数を、前記輻輳送信電力値に応じたフィルタ係数として選択する
ことを特徴とする係数決定装置。
【請求項２】
前記決定手段は、
フィルタ係数と、該フィルタ係数で送信電力値を平均化した電力平均値と、を少なくとも関係付けて管理する管理手段の中から、前記輻輳送信電力値と値が近接する電力平均値を特定し、該特定した電力平均値と関係付けられて前記管理手段で管理されているフィルタ係数を、前記輻輳送信電力値に応じたフィルタ係数として選択することを特徴とする請求項１記載の係数決定装置。
【請求項３】
送信電力値を平均化する際に使用するフィルタ係数を決定する係数決定装置であって、  送信電力値を少なくとも収集する収集手段と、
前記収集手段で収集した送信電力値の中から輻輳が発生する輻輳送信電力値を特定し、前記輻輳送信電力値に応じたフィルタ係数を選択し、該選択したフィルタ係数を、新たなフィルタ係数に決定する決定手段と、
を有し、
前記決定手段は、
フィルタ係数と、該フィルタ係数で送信電力値を平均化した電力平均値と、を少なくとも関係付けて管理する管理手段の中から、前記輻輳送信電力値と値が近接する電力平均値を特定し、該特定した電力平均値と関係付けられて前記管理手段で管理されているフィルタ係数を、前記輻輳送信電力値に応じたフィルタ係数として選択することを特徴とする係数決定装置。
【請求項４】
前記決定手段は、
前記フィルタ係数を調整し、該調整したフィルタ係数を、新たなフィルタ係数に決定することを特徴とする請求項１から３のいずれかに記載の係数決定装置。
【請求項５】
前記決定手段は、
調整後のフィルタ係数で前記輻輳送信電力値を平均化した電力平均値と、前記輻輳送信電力値を特定する判断基準となる輻輳制御閾値と、が近接するようにフィルタ係数を調整することを特徴とする請求項４記載の係数決定装置。
【請求項６】
送信電力値を平均化する際に使用するフィルタ係数を決定する係数決定装置であって、  送信電力値を少なくとも収集する収集手段と、
前記収集手段で収集した送信電力値の中から輻輳が発生する輻輳送信電力値を特定し、前記輻輳送信電力値に応じたフィルタ係数を選択し、該選択したフィルタ係数を、新たなフィルタ係数に決定する決定手段と、
を有し、
前記決定手段は、更に、
前記フィルタ係数を調整し、該調整したフィルタ係数を、新たなフィルタ係数に決定し、
前記決定手段は、更に、
調整後のフィルタ係数で前記輻輳送信電力値を平均化した電力平均値と、前記輻輳送信電力値を特定する判断基準となる輻輳制御閾値と、が近接するようにフィルタ係数を調整することを特徴とする係数決定装置。
【請求項７】
前記決定手段は、
調整前のフィルタ係数で前記輻輳送信電力値を平均化した電力平均値が、前記輻輳送信電力値を特定する判断基準となる輻輳制御閾値よりも低い場合には、調整後のフィルタ係数で前記輻輳送信電力値を平均化した電力平均値が、前記輻輳制御閾値よりも高くなるまでフィルタ係数を調整し、前記輻輳制御閾値よりも高くなる直前の時点でのフィルタ係数を、新たなフィルタ係数に決定し、
調整前のフィルタ係数で前記輻輳送信電力値を平均化した電力平均値が、前記輻輳制御閾値よりも高い場合には、調整後のフィルタ係数で前記輻輳送信電力値を平均化した電力平均値が、前記輻輳制御閾値よりも低くなるまでフィルタ係数を調整し、前記輻輳制御閾値よりも低くなった時点でのフィルタ係数を、新たなフィルタ係数に決定することを特徴とする請求項４から６の何れかに記載の係数決定装置。
【請求項８】
送信電力値を平均化する際に使用するフィルタ係数を決定する係数決定装置であって、  送信電力値を少なくとも収集する収集手段と、
前記収集手段で収集した送信電力値の中から輻輳が発生する輻輳送信電力値を特定し、前記輻輳送信電力値に応じたフィルタ係数を選択し、該選択したフィルタ係数を、新たなフィルタ係数に決定する決定手段と、
を有し、
前記決定手段は、更に、
前記フィルタ係数を調整し、該調整したフィルタ係数を、新たなフィルタ係数に決定し、
前記決定手段は、更に、
調整前のフィルタ係数で前記輻輳送信電力値を平均化した電力平均値が、前記輻輳送信電力値を特定する判断基準となる輻輳制御閾値よりも低い場合には、調整後のフィルタ係数で前記輻輳送信電力値を平均化した電力平均値が、前記輻輳制御閾値よりも高くなるまでフィルタ係数を調整し、前記輻輳制御閾値よりも高くなる直前の時点でのフィルタ係数を、新たなフィルタ係数に決定し、
調整前のフィルタ係数で前記輻輳送信電力値を平均化した電力平均値が、前記輻輳制御閾値よりも高い場合には、調整後のフィルタ係数で前記輻輳送信電力値を平均化した電力平均値が、前記輻輳制御閾値よりも低くなるまでフィルタ係数を調整し、前記輻輳制御閾値よりも低くなった時点でのフィルタ係数を、新たなフィルタ係数に決定する
ことを特徴とする係数決定装置。
【請求項９】
前記収集手段は、
送信電力値と、当該送信電力値が原因で輻輳が発生した輻輳制御回数と、を少なくとも収集し、
前記決定手段は、
前記収集手段で収集した輻輳制御回数を基に、輻輳が発生した送信電力値を特定し、
前記輻輳送信電力値を特定することを特徴とする請求項１から８の何れか１項に記載の係数決定装置。
【請求項１０】
前記収集手段は、
送信電力値と、前記輻輳送信電力値を特定する判断基準となる輻輳制御閾値と、を少なくとも収集し、
前記決定手段は、
前記収集手段で収集した送信電力値と、輻輳制御閾値と、を比較し、輻輳制御閾値を超過している送信電力値を特定し、
前記輻輳送信電力値を特定することを特徴とする請求項１から９の何れか１項に記載の係数決定装置。
【請求項１１】
前記収集手段は、
事業者が使用する基地局で測定した送信電力値を少なくとも収集し、
前記決定手段は、
前記収集手段で収集した送信電力値の中から輻輳が発生する輻輳送信電力値を特定し、
前記輻輳送信電力値と、前記事業者と、に応じたフィルタ係数を選択し、該選択したフィルタ係数を、前記基地局で使用する新たなフィルタ係数に決定することを特徴とする請求項１から１０の何れか１項に記載の係数決定装置。
【請求項１２】
基地局が測定した送信電力値をフィルタ係数で平均化し、該平均化した電力平均値を基に、輻輳が発生したと判断した場合に、前記基地局の輻輳制御を行う無線通信システムであって、
基地局が測定した送信電力値を少なくとも収集する収集手段と、
前記収集手段で収集した送信電力値の中から輻輳が発生する輻輳送信電力値を特定し、
前記輻輳送信電力値に応じたフィルタ係数を選択し、該選択したフィルタ係数を、新たなフィルタ係数に決定する決定手段と、
を有し、
前記決定手段で決定した新たなフィルタ係数で平均化した電力平均値を基に、輻輳が発生したか否かを判断し、
前記送信電力値は、所定の時間幅で測定した値であり、
前記決定手段は、
前記所定の時間幅で前記輻輳送信電力値を再現した瞬時値グラフと、前記瞬時値グラフのフィルタ係数を決定するための判断基準となる少なくとも１つの平均値グラフと、を比較し、該比較結果が所定の誤差の範囲内で一致する平均値グラフを特定し、該特定した平均値グラフを作成する際に使用したフィルタ係数を、前記輻輳送信電力値に応じたフィルタ係数として選択する
ことを特徴とする無線通信システム。
【請求項１３】
基地局が測定した送信電力値をフィルタ係数で平均化し、該平均化した電力平均値を基に、輻輳が発生したと判断した場合に、前記基地局の輻輳制御を行う制御装置と、フィルタ係数を決定する係数決定装置と、を有して構成する無線通信システムであって、
前記係数決定装置は、
前記基地局が測定した送信電力を少なくとも収集する収集手段と、
前記収集手段で収集した送信電力値の中から輻輳が発生する輻輳送信電力値を特定し、
前記輻輳送信電力値に応じたフィルタ係数を選択し、該選択したフィルタ係数を、新たなフィルタ係数に決定する決定手段と、
を有し、
前記制御装置は、
前記決定手段で決定した新たなフィルタ係数で平均化した電力平均値を基に、輻輳が発生したか否かを判断し、
前記送信電力値は、所定の時間幅で測定した値であり、
前記決定手段は、
前記所定の時間幅で前記輻輳送信電力値を再現した瞬時値グラフと、前記瞬時値グラフのフィルタ係数を決定するための判断基準となる少なくとも１つの平均値グラフと、を比較し、該比較結果が所定の誤差の範囲内で一致する平均値グラフを特定し、該特定した平均値グラフを作成する際に使用したフィルタ係数を、前記輻輳送信電力値に応じたフィルタ係数として選択する
ことを特徴とする無線通信システム。
【請求項１４】
送信電力値を測定し、該測定した送信電力値をフィルタ係数で平均化し、該平均化した電力平均値を基に、輻輳が発生したと判断した場合に、輻輳制御を行う基地局と、フィルタ係数を決定する係数決定装置と、を有して構成する無線通信システムであって、
前記係数決定装置は、
前記基地局が測定した送信電力を少なくとも収集する収集手段と、
前記収集手段で収集した送信電力値の中から輻輳が発生する輻輳送信電力値を特定し、
前記輻輳送信電力値に応じたフィルタ係数を選択し、該選択したフィルタ係数を、新たなフィルタ係数に決定する決定手段と、
を有し、
前記基地局は、
前記決定手段で決定した新たなフィルタ係数で平均化した電力平均値を基に、輻輳が発生したか否かを判断し、
前記送信電力値は、所定の時間幅で測定した値であり、
前記決定手段は、
前記所定の時間幅で前記輻輳送信電力値を再現した瞬時値グラフと、前記瞬時値グラフのフィルタ係数を決定するための判断基準となる少なくとも１つの平均値グラフと、を比較し、該比較結果が所定の誤差の範囲内で一致する平均値グラフを特定し、該特定した平均値グラフを作成する際に使用したフィルタ係数を、前記輻輳送信電力値に応じたフィルタ係数として選択する
ことを特徴とする無線通信システム。
【請求項１５】
フィルタ係数と、該フィルタ係数で送信電力値を平均化した電力平均値と、を少なくとも関係付けて管理する管理手段を有し、
前記決定手段は、
前記輻輳送信電力値と値が近接する電力平均値を、前記管理手段の中から特定し、該特定した電力平均値と関係付けられて前記管理手段で管理されているフィルタ係数を、前記輻輳送信電力値に応じたフィルタ係数として選択することを特徴とする請求項１２から１４の何れか１項に記載の無線通信システム。
【請求項１６】
基地局が測定した送信電力値をフィルタ係数で平均化し、該平均化した電力平均値を基に、輻輳が発生したと判断した場合に、前記基地局の輻輳制御を行う無線通信システムであって、
基地局が測定した送信電力値を少なくとも収集する収集手段と、
前記収集手段で収集した送信電力値の中から輻輳が発生する輻輳送信電力値を特定し、
前記輻輳送信電力値に応じたフィルタ係数を選択し、該選択したフィルタ係数を、新たなフィルタ係数に決定する決定手段と、
を有し、
前記決定手段で決定した新たなフィルタ係数で平均化した電力平均値を基に、輻輳が発生したか否かを判断し、
フィルタ係数と、該フィルタ係数で送信電力値を平均化した電力平均値と、を少なくとも関係付けて管理する管理手段を有し、
前記決定手段は、
前記輻輳送信電力値と値が近接する電力平均値を、前記管理手段の中から特定し、該特定した電力平均値と関係付けられて前記管理手段で管理されているフィルタ係数を、前記輻輳送信電力値に応じたフィルタ係数として選択することを特徴とする無線通信システム。
【請求項１７】
基地局が測定した送信電力値をフィルタ係数で平均化し、該平均化した電力平均値を基に、輻輳が発生したと判断した場合に、前記基地局の輻輳制御を行う制御装置と、フィルタ係数を決定する係数決定装置と、を有して構成する無線通信システムであって、
前記係数決定装置は、
前記基地局が測定した送信電力を少なくとも収集する収集手段と、
前記収集手段で収集した送信電力値の中から輻輳が発生する輻輳送信電力値を特定し、
前記輻輳送信電力値に応じたフィルタ係数を選択し、該選択したフィルタ係数を、新たなフィルタ係数に決定する決定手段と、
を有し、
前記制御装置は、
前記決定手段で決定した新たなフィルタ係数で平均化した電力平均値を基に、輻輳が発生したか否かを判断し、
フィルタ係数と、該フィルタ係数で送信電力値を平均化した電力平均値と、を少なくとも関係付けて管理する管理手段を有し、
前記決定手段は、
前記輻輳送信電力値と値が近接する電力平均値を、前記管理手段の中から特定し、該特定した電力平均値と関係付けられて前記管理手段で管理されているフィルタ係数を、前記輻輳送信電力値に応じたフィルタ係数として選択することを特徴とする無線通信システム。
【請求項１８】
送信電力値を測定し、該測定した送信電力値をフィルタ係数で平均化し、該平均化した電力平均値を基に、輻輳が発生したと判断した場合に、輻輳制御を行う基地局と、フィルタ係数を決定する係数決定装置と、を有して構成する無線通信システムであって、
前記係数決定装置は、
前記基地局が測定した送信電力を少なくとも収集する収集手段と、
前記収集手段で収集した送信電力値の中から輻輳が発生する輻輳送信電力値を特定し、
前記輻輳送信電力値に応じたフィルタ係数を選択し、該選択したフィルタ係数を、新たなフィルタ係数に決定する決定手段と、
を有し、
前記基地局は、
前記決定手段で決定した新たなフィルタ係数で平均化した電力平均値を基に、輻輳が発生したか否かを判断し、
フィルタ係数と、該フィルタ係数で送信電力値を平均化した電力平均値と、を少なくとも関係付けて管理する管理手段を有し、
前記決定手段は、
前記輻輳送信電力値と値が近接する電力平均値を、前記管理手段の中から特定し、該特定した電力平均値と関係付けられて前記管理手段で管理されているフィルタ係数を、前記輻輳送信電力値に応じたフィルタ係数として選択することを特徴とする無線通信システム。
【請求項１９】
送信電力値を平均化する際に使用するフィルタ係数を決定する係数決定方法であって、
送信電力値を少なくとも収集する収集工程と、
前記収集工程で収集した送信電力値の中から輻輳が発生する輻輳送信電力値を特定し、
前記輻輳送信電力値に応じたフィルタ係数を選択し、該選択したフィルタ係数を、新たなフィルタ係数に決定する決定工程と、
を有し、
前記送信電力値は、所定の時間幅で測定した値であり、
前記決定工程は、
前記所定の時間幅で前記輻輳送信電力値を再現した瞬時値グラフと、前記瞬時値グラフのフィルタ係数を決定するための判断基準となる少なくとも１つの平均値グラフと、を比較し、該比較結果が所定の誤差の範囲内で一致する平均値グラフを特定し、該特定した平均値グラフを作成する際に使用したフィルタ係数を、前記輻輳送信電力値に応じたフィル
タ係数として選択する
ことを特徴とする係数決定方法。
【請求項２０】
送信電力値を平均化する際に使用するフィルタ係数を決定する係数決定プログラムであって、
送信電力値を少なくとも収集する収集処理と、
前記収集処理で収集した送信電力値の中から輻輳が発生する輻輳送信電力値を特定し、
前記輻輳送信電力値に応じたフィルタ係数を選択し、該選択したフィルタ係数を、新たなフィルタ係数に決定する決定処理と、
を、コンピュータに実行させ、
前記送信電力値は、所定の時間幅で測定した値であり、
前記決定処理は、
前記所定の時間幅で前記輻輳送信電力値を再現した瞬時値グラフと、前記瞬時値グラフのフィルタ係数を決定するための判断基準となる少なくとも１つの平均値グラフと、を比較し、該比較結果が所定の誤差の範囲内で一致する平均値グラフを特定し、該特定した平均値グラフを作成する際に使用したフィルタ係数を、前記輻輳送信電力値に応じたフィルタ係数として選択する
ことを特徴とする係数決定プログラム。
【発明の詳細な説明】
【技術分野】
【０００１】
本発明は、係数決定装置、無線通信システム、係数決定方法及び係数決定プログラムに関し、特に、送信電力値を平均化する際に使用するフィルタ係数を決定することが可能な係数決定装置、無線通信システム、係数決定方法及び係数決定プログラムに関するものである。
【背景技術】
【０００２】
一般的な無線通信システムでは、セル間を無線端末が自由に移動しながら、無線通信を行っている。このため、セル内に無線端末が多く存在する無線基地局では電力量が増大し、輻輳状態が発生してしまう場合がある。なお、輻輳状態が発生してしまうと、伝送遅延、品質劣化、回線切断などの様々な問題が発生することになる。
【０００３】
このようなことから、輻輳状態が発生した場合に、新規呼を制限するなどの通信規制を行い、輻輳状態を解消するための各種の輻輳制御方法が提案されている。
【０００４】
例えば、本発明より先に出願された技術文献として、無線基地局制御装置が、無線基地局から輻輳発生通知を受け付けた場合に、輻輳制御を開始する。また、無線基地局制御装置が、無線基地局から輻輳解消通知を受け付けた場合に、輻輳制御を解除する技術について開示された文献がある（例えば、特許文献１参照）。
【０００５】
また、ATM（Asynchronous Transfer Mode）セルの破棄が所定の頻度以上で発生している場合に、ATMセルが輻輳していると判定し、新規呼の受け付けを制限する技術について開示された文献がある（例えば、特許文献２参照）。
【０００６】
また、送信電力レベルの測定値を平均化し、その平均化した値を判定基準とみなし、呼受付判定を行う技術について開示された文献がある（例えば、特許文献３参照）。
【０００７】
ここで、図２３を参照しながら、無線通信システムで使用する輻輳制御方法（第１の方法）について説明する。図２３は、無線ネットワーク制御局が輻輳状態を検出する際の概略図である。図２３の横軸は、時間を示し、縦軸は、電力値を示す。なお、無線ネットワーク制御局は、無線基地局を制御する制御装置である。
【０００８】
まず、無線ネットワーク制御局は、図２３に示すように、無線基地局がセル単位で測定した『電力瞬時値』（無線基地局の送信電力値）を無線基地局から収集する。次に、無線ネットワーク制御局は、図２３に示すように、無線基地局から収集した『電力瞬時値』と、『輻輳制御閾値』（輻輳が発生したか否かを判断するための判断基準となる値）と、を比較する。そして、無線ネットワーク制御局は、図２３に示すように、『電力瞬時値』が『輻輳制御閾値』を超過した場合に、無線基地局の電力容量が限界値に到達したと判断し、その無線基地局に対する輻輳制御を開始し、無線基地局と無線端末との通信を規制する。これにより、無線ネットワーク制御局は、『電力瞬時値』を基に、無線基地局に対する輻輳制御を行うことが可能となる。
【０００９】
しかし、上述した第１の方法では、図２３に示すように、『電力平均値』（電力瞬時値を平均化した値）が『輻輳制御閾値』よりも低く、無線基地局の電力容量にまだ余裕がある状態でも、『電力瞬時値』が『輻輳制御閾値』を超過した場合には、輻輳制御を開始することになる。このため、上述した第１の方法では、『電力瞬時値』が『輻輳制御閾値』を一時的に超過してしまう状況が発生した場合には、無線基地局の電力容量を有効活用できないことになる。なお、電力瞬時値が輻輳制御閾値を一時的に超過してしまう状況としては、例えば、瞬間的な通信量の増加や、無線端末の電力変動などが挙げられる。近年では、データ通信サービスが普及しており、データ通信のバースト性により、電力瞬時値がバースト的に増減することが想定される。このため、図２３に示すように、『電力瞬時値』が『輻輳制御閾値』を一時的に超過してしまう状況が、今後、更に発生し易くなることが想定される。
【００１０】
なお、無線基地局の電力容量を有効活用するための方法としては、例えば、以下の方法（第２の方法）がある。
まず、電力瞬時値の増減傾向を調査し、その調査結果を基に、将来の電力瞬時値を推定する。そして、将来の電力瞬時値（推定電力瞬時値）と、輻輳制御閾値と、を比較し、推定電力瞬時値が輻輳制御閾値を超過する場合に、将来、無線基地局の電力容量が限界値に到達すると判断し、無線基地局を増設するように制御する。これにより、上述した図２３に示す第１の方法を行う必要がないため、無線基地局の電力容量を有効活用することが可能となる。
【００１１】
但し、上述した第２の方法は、電力瞬時値の増減傾向を長期間（例えば、数週間）調査する必要があり、推定電力瞬時値を推定するためにはかなりの時間を要することになる。
また、電力瞬時値の増減幅が大きいため、推定電力瞬時値を正確に推定することが困難となる。
その結果、無線基地局の電力容量にまだ余裕があるにもかかわらず、余分な無線基地局の増設を行ってしまい、設備コストを増加させてしまう場合が発生する。また、無線基地局の電力容量に余裕がないにもかかわらず、無線基地局の増設を行わず、結果として、電波干渉が増加し、通信品質の劣化を招いてしまう場合が発生する。
【００１２】
また、無線基地局の電力容量を有効活用するための方法としては、例えば、以下の方法（第３の方法）がある。
まず、無線ネットワーク制御局は、無線基地局がセル単位で測定した電力瞬時値を無線基地局から収集する。次に、無線ネットワーク制御局は、フィルタ係数を使用し、無線基地局から収集した電力瞬時値を平均化し、電力平均値（電力瞬時値を平均化した値）を算出し、その算出した電力平均値と、輻輳制御閾値と、を比較する。そして、無線ネットワーク制御局は、電力平均値が輻輳制御閾値を超過した場合に、無線基地局の電力容量が限界値に到達したと判断し、その無線基地局に対する輻輳制御を開始し、無線基地局と無線端末との通信を規制する。なお、フィルタ係数は、電力平均値を算出する際に使用するものである。これにより、無線ネットワーク制御局は、電力平均値が輻輳制御閾値を超過した場合に、輻輳制御を行うことになるため、無線基地局の電力容量を有効活用することが可能となる。
【００１３】
しかし、上述した第３の方法では、電力平均値を算出する際に使用するフィルタ係数を決定するための基準がないのが現状である。このため、現状のシステムでは、フィルタ係数を決定するために、通信を一時的に中断し、フィルタ係数をセル毎に設定変更しながら最適なフィルタ係数を決定するといった複雑な作業を行うことになる。
【００１４】
このため、上述した第３の方法では、最適なフィルタ係数を決定するために伴う作業費用と、通信の一時的な中断に伴う収益損失と、が発生してしまうことになる。その結果、上述した第３の方法を適用し、無線基地局の電力容量を有効活用するよりも、フィルタ係数の設定変更に伴う費用の方が大きくなってしまうことになる。
【００１５】
このようなことから、電力平均値を算出する際に使用するフィルタ係数を効率的に決定することが可能な方法の開発が必要視されることになる。
【特許文献１】特開２００５−２１０１８９号公報
【特許文献２】特開２００６−１３５５１６号公報
【特許文献３】特開２００２−２３８０７３号公報
【発明の開示】
【発明が解決しようとする課題】
【００１６】
なお、上記特許文献１、２には、輻輳状態が発生した場合に、輻輳状態を解消するための技術について開示されている。また、上記特許文献３には、送信電力レベルの測定値を平均化し、その平均化した値を判断基準とみなし呼受付判定を行う技術について開示されている。しかしながら、上記特許文献１〜３には、送信電力値を平均化する際に使用するフィルタ係数を効率的に決定するための具体的な解決策については何ら記載もその必要性についても示唆されていない。
【００１７】
このため、上記特許文献１〜３の技術では、送信電力値を平均化する際に使用するフィルタ係数を効率的に決定することができず、無線基地局の電力容量の更なる有効活用を図ることができないことになる。
【００１８】
本発明は、上記事情に鑑みてなされたものであり、上述した課題である、送信電力値を平均化する際に使用するフィルタ係数を効率的に決定することが可能な係数決定装置、無線通信システム、係数決定方法及び係数決定プログラムを提供することを目的とする。
【課題を解決するための手段】
【００１９】
かかる目的を達成するために、本発明は、以下の特徴を有することとする。
【００２０】
＜係数決定装置＞
本発明にかかる係数決定装置は、
送信電力値を平均化する際に使用するフィルタ係数を決定する係数決定装置であって、
送信電力値を少なくとも収集する収集手段と、
前記収集手段で収集した送信電力値の中から輻輳が発生する輻輳送信電力値を特定し、前記輻輳送信電力値に応じたフィルタ係数を選択し、該選択したフィルタ係数を、新たなフィルタ係数に決定する決定手段と、
を有することを特徴とする。
【００２１】
＜無線通信システム＞
また、本発明にかかる無線通信システムは、
基地局が測定した送信電力値をフィルタ係数で平均化し、該平均化した電力平均値を基に、輻輳が発生したと判断した場合に、前記基地局の輻輳制御を行う無線通信システムであって、
基地局が測定した送信電力値を少なくとも収集する収集手段と、
前記収集手段で収集した送信電力値の中から輻輳が発生する輻輳送信電力値を特定し、前記輻輳送信電力値に応じたフィルタ係数を選択し、該選択したフィルタ係数を、新たなフィルタ係数に決定する決定手段と、
を有し、
前記決定手段で決定した新たなフィルタ係数で平均化した電力平均値を基に、輻輳が発生したか否かを判断することを特徴とする。
【００２２】
また、本発明にかかる無線通信システムは、
基地局が測定した送信電力値をフィルタ係数で平均化し、該平均化した電力平均値を基に、輻輳が発生したと判断した場合に、前記基地局の輻輳制御を行う制御装置と、フィルタ係数を決定する係数決定装置と、を有して構成する無線通信システムであって、
前記係数決定装置は、
前記基地局が測定した送信電力を少なくとも収集する収集手段と、
前記収集手段で収集した送信電力値の中から輻輳が発生する輻輳送信電力値を特定し、前記輻輳送信電力値に応じたフィルタ係数を選択し、該選択したフィルタ係数を、新たなフィルタ係数に決定する決定手段と、
を有し、
前記制御装置は、
前記決定手段で決定した新たなフィルタ係数で平均化した電力平均値を基に、輻輳が発生したか否かを判断することを特徴とする。
【００２３】
また、本発明にかかる無線通信システムは、
送信電力値を測定し、該測定した送信電力値をフィルタ係数で平均化し、該平均化した電力平均値を基に、輻輳が発生したと判断した場合に、輻輳制御を行う基地局と、フィルタ係数を決定する係数決定装置と、を有して構成する無線通信システムであって、
前記係数決定装置は、
前記基地局が測定した送信電力を少なくとも収集する収集手段と、
前記収集手段で収集した送信電力値の中から輻輳が発生する輻輳送信電力値を特定し、前記輻輳送信電力値に応じたフィルタ係数を選択し、該選択したフィルタ係数を、新たなフィルタ係数に決定する決定手段と、
を有し、
前記基地局は、
前記決定手段で決定した新たなフィルタ係数で平均化した電力平均値を基に、輻輳が発生したか否かを判断することを特徴とする。
【００２４】
＜係数決定方法＞
また、本発明にかかる係数決定方法は、
送信電力値を平均化する際に使用するフィルタ係数を決定する係数決定方法であって、
送信電力値を少なくとも収集する収集工程と、
前記収集工程で収集した送信電力値の中から輻輳が発生する輻輳送信電力値を特定し、前記輻輳送信電力値に応じたフィルタ係数を選択し、該選択したフィルタ係数を、新たなフィルタ係数に決定する決定工程と、
を有することを特徴とする。
【００２５】
＜係数決定プログラム＞
また、本発明にかかる係数決定プログラムは、
送信電力値を平均化する際に使用するフィルタ係数を決定する係数決定プログラムであって、
送信電力値を少なくとも収集する収集処理と、
前記収集処理で収集した送信電力値の中から輻輳が発生する輻輳送信電力値を特定し、前記輻輳送信電力値に応じたフィルタ係数を選択し、該選択したフィルタ係数を、新たなフィルタ係数に決定する決定処理と、
を、コンピュータに実行させることを特徴とする。
【発明の効果】
【００２６】
本発明によれば、送信電力値を平均化する際に使用するフィルタ係数を効率的に決定することが可能となる。
【発明を実施するための最良の形態】
【００２７】
まず、図１を参照しながら、本実施形態における無線通信システムの概要について説明する。図１は、本実施形態における無線通信システムの概要を説明するためのシステム構成例である。
【００２８】
本実施形態における無線通信システムは、無線基地局（105）が測定した送信電力値をフィルタ係数で平均化し、該平均化した電力平均値を基に輻輳が発生したと判断した場合に、無線基地局（105）の輻輳制御を行う無線通信システムである。
【００２９】
なお、本実施形態における無線通信システムは、収集部（１）と、決定部（２）と、を有して構成する。収集部（１）は、無線基地局（105）が測定した送信電力値を少なくとも収集するものである。また、決定部（２）は、収集部（１）で収集した送信電力値の中から輻輳が発生する輻輳送信電力値を特定し、その輻輳送信電力値に応じたフィルタ係数を選択し、該選択したフィルタ係数を、新たなフィルタ係数に決定するものである。なお、輻輳送信電力値とは、無線基地局（105）が測定した送信電力値の中で輻輳が発生する送信電力値のことである。
【００３０】
本実施形態における無線通信システムは、図１に示す構成により、まず、収集部（１）が、無線基地局（105）が測定した送信電力値を少なくとも収集する。次に、決定部（２）が、収集部（１）で収集した送信電力値の中から輻輳が発生する輻輳送信電力値を特定し、その輻輳送信電力値に応じたフィルタ係数を選択し、該選択したフィルタ係数を、新たなフィルタ係数に決定する。これにより、本実施形態における無線通信システムは、送信電力値を平均化する際に使用するフィルタ係数を効率的に決定することが可能となる。
【００３１】
そして、本実施形態における無線通信システムは、決定部（２）で決定したフィルタ係数で平均化した電力平均値を基に輻輳が発生したか否かを判断することになる。これにより、本実施形態における無線通信システムは、送信電力値が一時的に輻輳制御閾値を超過した状態では、輻輳が発生したと判断せず、無線基地局（105）の輻輳制御を行うことがないため、無線基地局（105）の電力容量の有効活用を図ることが可能となる。以下、添付図面を参照しながら、本実施形態の無線通信システムについて詳細に説明する。
【００３２】
（第１の実施形態）
＜無線通信システムのシステム構成＞
まず、図２を参照しながら、本実施形態の無線通信システムのシステム構成について説明する。図２は、本実施形態の無線通信システムのシステム構成例を示す図である。
【００３３】
本実施形態における無線通信システムは、最適化端末（101）と、保守サーバ（102）と、保守端末（103）と、無線ネットワーク制御局（104）と、無線基地局（105）と、コアネットワーク（106）と、無線端末（107）と、を有して構成している。
【００３４】
＜最適化端末：101＞
最適化端末（101）は、パーソナル・コンピュータなどの情報処理装置である。なお、本実施形態における最適化端末（101）は、セル設定情報（輻輳制御閾値、フィルタ係数）と、統計情報（時間帯、電力瞬時値、輻輳制御回数）と、を保守サーバ（102）から収集する機能を持つ。また、最適化端末（101）は、保守サーバ（102）から収集したセル設定情報と、統計情報と、を基に、新たなフィルタ係数を決定する機能を持つ。即ち、最適化端末（101）は、図１に示す収集部（１）と、決定部（２）と、を有して構成し、フィルタ係数を決定する係数決定装置として機能することになる。
【００３５】
なお、電力瞬時値は、無線基地局（105）が測定したセル毎の送信電力値である。輻輳制御閾値は、輻輳が発生したか否かを判断するための判断基準となる値である。フィルタ係数は、電力平均値（電力瞬時値を平均化した値）を算出する際に使用するものである。時間帯は、無線基地局（105）が電力瞬時値を測定した時間帯を特定するための情報である。輻輳制御回数は、無線ネットワーク制御局（104）が輻輳制御を行った回数を特定するための情報である。
【００３６】
＜保守サーバ：102＞
保守サーバ（102）は、ワークステーションなどの情報処理装置である。なお、本実施形態における保守サーバ（102）は、セル設定情報と、統計情報と、を無線ネットワーク制御局（104）から収集し、その収集したセル設定情報と、統計情報と、を保守サーバ（102）に保存する機能を持つ。
【００３７】
＜保守端末：103＞
保守端末（103）は、ワークステーションなどの情報処理装置である。なお、本実施形態における保守端末（103）は、セル設定情報を保守サーバ（102）から取得し、その取得したセル設定情報を基に、無線ネットワーク制御局（104）のセル設定情報を設定変更する機能を持つ。
【００３８】
＜無線ネットワーク制御局：104＞
無線ネットワーク制御局（104）は、無線基地局（105）を制御する制御装置であり、少なくとも１箇所に設置する。なお、本実施形態における無線ネットワーク制御局（104）は、無線ネットワーク制御局（104）の配下に存在する無線基地局（105）のセル設定情報と、統計情報と、を管理する機能を持つ。また、無線ネットワーク制御局（104）は、セル設定情報と、統計情報と、を保守サーバ（102）に送信し、保守サーバ（102）に保存する機能を持つ。また、無線ネットワーク制御局（104）は、無線基地局（105）から電力瞬時値の情報（時間帯、電力瞬時値）を収集する機能を持つ。また、無線ネットワーク制御局（104）は、フィルタ係数を使用して、電力平均値を算出し、その算出した電力平均値が輻輳制御閾値を超過したか否かを判断し、その判断結果に応じて、輻輳制御を行い、無線基地局（105）と無線端末（107）との通信を規制する機能を持つ。
【００３９】
＜無線基地局：105＞
無線基地局（105）は、無線端末（107）と無線通信を行う通信装置であり、少なくとも１つ設置する。但し、システムの実装上、無線基地局（105）は、多数かつ広範囲に設置することが好ましい。なお、本実施形態における無線基地局（105）は、少なくとも１つのセルを形成する。また、無線基地局（105）は、無線基地局（105）のアンテナから出力する電波の到達範囲（セル内）に存在する無線端末（107）と無線回線を確立する。また、無線基地局（105）は、無線ネットワーク制御局（104）の制御指示に従い、セル内で無線回線を確立している全ての無線端末（107）で合計した送信電力値（電力瞬時値）を、無線ネットワーク制御局（104）に送信する機能を持つ。
【００４０】
＜コアネットワーク：106＞
コアネットワーク（106）は、位置制御、呼制御、サービス制御などを行う部分であり、少なくとも１台で構成する。なお、本実施形態におけるコアネットワーク（106）の構成は特に限定するものではなく、あらゆる構成が適用可能である。例えば、コアネットワーク（106）は、移動通信加入者データベースのHLR（Home Location Register）、回線交換用のMSC（Mobile Switching Center）、パケット交換用のSGSN（Serving GPRS Support Node)、固定回線交換網の関門局用のGMSC（Gateway Mobile Switching Center）、インターネット関門局用のGGSN（Gateway GPRS Support Node）などで構成することが可能である。
【００４１】
＜無線端末：107＞
無線端末（107）は、無線基地局（105）と無線通信を行う通信装置である。なお、本実施形態における無線端末（107）は、セル間を移動（ハンドオーバ）しながら他の通信装置と通信を行う。また、インターネットに接続し、パケット通信を行う。
【００４２】
なお、図２に示すシステム構成では、コアネットワーク（106）と、無線ネットワーク制御局（104）と、は専用網で接続している。また、無線ネットワーク制御局（104）と、無線基地局（105）と、は専用網で接続している。また、無線ネットワーク制御局（104）と、保守端末（103）と、保守サーバ（102）と、最適化端末（101）と、はLAN（Local Area Network）で接続している。しかし、本実施形態における無線通信システムは、各装置間で情報通信が可能であれば、各装置間の接続構成は、特に限定するものではなく、有線、無線を問わずあらゆる通信形態で接続することが可能である。
【００４３】
＜無線通信システムにおける処理動作＞
次に、図３を参照しながら、本実施形態の無線通信システムにおける一連の処理動作について詳細に説明する。図３は、本実施形態の無線通信システムにおける一連の処理動作例を示す図である。なお、以下の処理動作では、無線基地局（105）と、無線ネットワーク制御局（104）と、保守サーバ（102）／保守端末（103）と、最適化端末（101）と、の処理動作について説明する。
【００４４】
まず、無線ネットワーク制御局（104）は、図３の処理動作を行う前に、図４、図５に示すように、無線ネットワーク制御局（104）の配下に存在するセルのセル設定情報（輻輳制御閾値、フィルタ係数）と、統計情報（時間帯、電力瞬時値、輻輳制御回数）と、を、セル（セルＩＤ）毎に管理しているものとする。なお、電力瞬時値は、無線基地局（105）で測定した送信電力値であり、無線ネットワーク制御局（104）が無線基地局（105）から収集することになる。時間帯は、無線基地局（105）が電力瞬時値を測定した時間帯を特定するための情報である。輻輳制御回数は、無線ネットワーク制御局（104）が輻輳制御を行った回数を特定するための情報である。
【００４５】
図４では、セル設定情報を、『基地局ＩＤ』と、『セルＩＤ』と、に関係付けて管理している。なお、『基地局ＩＤ』は、無線基地局（105）を特定するための情報である。また、『セルＩＤ』は、セルを特定するための情報である。また、図５では、統計情報を、『基地局ＩＤ』と、『セルＩＤ』と、に関係付けて管理している。このように、図４、図５では、無線ネットワーク制御局（104）の配下には、２つの無線基地局（基地局ＩＤａ、基地局ＩＤｂ）が存在し、無線ネットワーク制御局（104）は、各無線基地局のセル設定情報と、統計情報と、をセル（セルＩＤ）毎に管理している状態を示している。本実施形態では、上述した状態を前提として、図３に示す一連の処理動作を行うものとする。
【００４６】
まず、図３に示すように、無線ネットワーク制御局（104）は、セル設定情報の送信要求コマンドを、保守サーバ（102）または保守端末（103）から受け付けた場合に、図４に示すセル設定情報（輻輳制御閾値、フィルタ係数）を、保守サーバ（102）に送信する（ステップS1）。保守サーバ（102）は、無線ネットワーク制御局（104）からセル設定情報を受信した場合に、その受信したセル設定情報を、セル毎に保守サーバ（102）に保存する（ステップS2）。これにより、保守サーバ（102）は、無線ネットワーク制御局（104）でセル毎に管理しているセル設定情報（輻輳制御閾値、フィルタ係数）を収集し、該収集したセル設定情報を、図６に示すようにセル（セルＩＤ）毎に保存して管理することが可能となる。なお、図６は、セル設定情報（輻輳制御閾値、フィルタ係数）を、『制御局ＩＤ』と、『基地局ＩＤ』と、『セルＩＤ』と、に関係付けて管理している状態を示している。『制御局ＩＤ』は、無線ネットワーク制御局（104）を特定するための情報である。図６に示すようにセル設定情報を管理することで、保守サーバ（102）は、どの無線ネットワーク制御局（104）から収集したセル設定情報かを特定することが可能となる。また、保守サーバ（102）は、どの無線基地局（105）のセル設定情報かを特定することも可能となる。
【００４７】
次に、無線ネットワーク制御局（104）は、統計情報の送信要求コマンドを、保守サーバ（102）または保守端末（103）から受け付けた場合に、図５に示す統計情報（時間帯、電力瞬時値、輻輳制御回数）を、保守サーバ（102）に送信する（ステップS3）。保守サーバ（102）は、無線ネットワーク制御局（104）から統計情報を受信した場合に、その受信した統計情報を、セル毎に保守サーバ（102）に保存する（ステップS4）。これにより、保守サーバ（102）は、無線ネットワーク制御局（104）でセル毎に管理している統計情報（時間帯、電力瞬時値、輻輳制御回数）を収集し、該収集した統計情報を、図７に示すようにセル（セルＩＤ）毎に保存して管理することが可能となる。なお、図７は、統計情報（時間帯、電力瞬時値、輻輳制御回数）を、『制御局ＩＤ』と、『基地局ＩＤ』と、『セルＩＤ』と、に関係付けて管理している状態を示している。図７に示すように統計情報を管理することで、保守サーバ（102）は、どの無線ネットワーク制御局（104）から収集した統計情報かを特定することが可能となる。また、保守サーバ（102）は、どの無線基地局（105）の統計情報かを特定することも可能となる。
【００４８】
なお、保守サーバ（102）は、セル設定情報や統計情報をセル毎に管理することが可能であれば、そのセル設定情報や統計情報の収集方法や管理方法は特に限定するものではなく、あらゆる方法を適用することが可能である。例えば、無線ネットワーク制御局（104）は、図４に示すセル設定情報や、図５に示す統計情報を、保守サーバ（102）に自立的に送信し、保守サーバ（102）に保存するようにすることも可能である。
【００４９】
次に、最適化端末（101）は、図６に示すセル設定情報と、図７に示す統計情報と、を保守サーバ（102）から収集し、その収集したセル設定情報と、統計情報と、を基に、輻輳制御が発生した時間帯を特定する。そして、最適化端末（101）は、上記特定した時間帯の情報（電力瞬時値、輻輳制御閾値）を基に、図８に示すように、新規の瞬時値グラフ（304）を作成する（ステップS5）。図８は、輻輳が発生した時間帯の情報（電力瞬時値、輻輳制御閾値）を基に作成した新規の瞬時値グラフ（304）を示し、縦軸が電力値を示し、横軸が時間を示している。なお、時間平均値は、電力瞬時値を所定間隔毎にプロット（選定）し、そのプロットした電力瞬時値を平均化した値である。例えば、図８に示すように、電力瞬時値を所定間隔毎にプロット（選択）する『図８に示す●』。そして、そのプロットした電力瞬時値の合計値『図８に示す１２個の●の値の合計値』を、そのプロット数『１２』で除算した値が、時間平均値となる。
【００５０】
なお、図８に示す新規の瞬時値グラフ（304）を作成する方法としては、以下の方法が挙げられる。
まず、無線基地局（105）は、図９に示すように、所定の時間帯毎（例えば、１時間毎）に、セルの電力瞬時値を、所定の時間幅（例えば、５分間）で測定する。この場合、図８に示す新規の瞬時値グラフ（304）の横軸（時間）は、セルの電力瞬時値を測定した所定の時間幅（５分間）となる。また、図８に示す新規の瞬時値グラフ（304）の縦軸（電力値）は、セルの電力瞬時値となる。なお、図９は、無線基地局（105）が２つのセル（セルＩＤａ、セルＩＤｂ）を形成し、無線基地局（105）が各セル（セルＩＤａ、セルＩＤｂ）毎の電力瞬時値を所定の時間帯毎（例えば、１時間毎）に所定の時間幅（５分間）で測定した状態を示している。
【００５１】
次に、無線基地局（105）は、図９に示す電力瞬時値の情報（時間帯、電力瞬時値）を無線ネットワーク制御局（104）に送信し、無線ネットワーク制御局（104）は、セル毎の電力瞬時値の情報を無線基地局（105）から収集する。なお、無線ネットワーク制御局（104）は、無線ネットワーク制御局（104）の配下に存在する全ての無線基地局（105）から電力瞬時値の情報を収集する。これにより、無線ネットワーク制御局（104）は、図５に示すように、無線ネットワーク制御局（104）の配下に存在するセルの電力瞬時値の情報を、セル（セルＩＤ）毎に管理することが可能となる。なお、図５に示す『基地局ＩＤａ』の電力瞬時値の情報（時間帯、電力瞬時値）は、図９に示す電力瞬時値の情報に該当する。
【００５２】
無線ネットワーク制御局（104）は、無線基地局（105）から電力瞬時値の情報を収集した場合に、その収集した情報に対応するセルのフィルタ係数を使用し、電力平均値（電力瞬時値を平均化した値）を算出する。そして、無線ネットワーク制御局（104）は、その算出した電力平均値が輻輳制御閾値を超過したか否かを判断し、電力平均値が輻輳制御閾値を超過した場合に、輻輳制御を開始し、輻輳制御回数を１カウントすることになる。例えば、無線ネットワーク制御局（104）は、図５に示す『セルＩＤａ』の『電力瞬時値ａ１２』の情報を収集した場合に、その収集した情報の『セルＩＤａ』に対応する図４に示す『フィルタ係数ｋａ』を使用し、『電力瞬時値ａ１２』の電力平均値を算出する。そして、無線ネットワーク制御局（104）は、その算出した電力平均値が図４に示す『セルＩＤａ』の『輻輳制御閾値ａ』を超過したか否かを判断し、電力平均値が『輻輳制御閾値ａ』を超過した場合に、輻輳制御を開始し、輻輳制御回数を１カウントすることになる。なお、無線ネットワーク制御局（104）は、輻輳制御回数を１カウントした場合には、図５に示す『輻輳制御回数』の情報を＋１だけ増加することになる。これにより、無線ネットワーク制御局（104）は、図５に示す統計情報（時間帯、電力瞬時値、輻輳制御回数）を、セル（セルＩＤ）毎に管理することになる。
【００５３】
次に、無線ネットワーク制御局（104）は、図５に示すセル（セルＩＤ）毎の統計情報を、保守サーバ（102）に送信する。これにより、保守サーバ（102）は、図５に示すセル（セルＩＤ）毎の統計情報を、図７に示すように、保守サーバ（102）に保存して管理することになる。
【００５４】
また、無線ネットワーク制御局（104）は、図４に示すように、セル設定情報（輻輳制御閾値、フィルタ係数）を、セル（セルＩＤ）毎に管理しており、その図４に示すセル（セルＩＤ）毎のセル設定情報を、保守サーバ（102）に送信する。これにより、保守サーバ（102）は、図４に示すセル（セルＩＤ）毎のセル設定情報を、図６に示すように、保守サーバ（102）に保存して管理することになる。
【００５５】
次に、最適化端末（101）は、図６に示すセル設定情報と、図７に示す統計情報と、を保守サーバ（102）から収集し、その収集したセル設定情報と、統計情報と、を基に、図８に示すように、輻輳制御が発生した時間帯の新規の瞬時値グラフ（304）を作成することになる。まず、最適化端末（101）は、統計情報に含まれる輻輳制御回数を基に、輻輳制御が発生した時間帯を特定する。例えば、図７に示す『セルＩＤａ』の時刻12:00の時間帯の輻輳制御回数は、『３回』となっているため、輻輳制御が発生した時間帯と特定することになる。次に、最適化端末（101）は、その輻輳制御が発生した時間帯の電力瞬時値と、輻輳制御が発生したセルの輻輳制御閾値と、を基に、図８に示す新規の瞬時値グラフ（304）を作成することになる。これにより、最適化端末（101）は、セル設定情報（輻輳制御閾値）と、統計情報（時間帯、電力瞬時値、輻輳制御回数）と、を基に、図８に示すように、輻輳制御が発生した時間帯の新規の瞬時値グラフ（304）を作成することが可能となる。
【００５６】
なお、上述した新規の瞬時値グラフ（304）の作成方法は、一例であり、図８に示すように、輻輳制御が発生した時間帯の新規の瞬時値グラフ（304）を作成することが可能であれば、あらゆる方法を適用することが可能である。
【００５７】
例えば、最適化端末（101）は、セル設定情報（輻輳制御閾値）と、統計情報（時間帯、電力瞬時値）と、を基に、電力瞬時値が輻輳制御閾値を超過した時間帯を特定し、輻輳制御が発生した時間帯の新規の瞬時値グラフ（304）を作成することも可能である。
【００５８】
具体的には、図７に示す『セルＩＤａ』の時刻0：00の時間帯に測定した『電力瞬時値ａ０』は、図１０（ａ）のグラフに示すような値と仮定する。この場合、『電力瞬時値ａ０』が『輻輳制御閾値ａ』を超過していないため、電力瞬時値が輻輳制御閾値を超過した時間帯ではないと判断する。また、図７に示す『セルＩＤａ』の時刻12：00の時間帯に測定した『電力瞬時値ａ１２』は、図１０（ｂ）のグラフに示すような値と仮定する。この場合、『電力瞬時値ａ１２』が『輻輳制御閾値ａ』を超過しているため、電力瞬時値が輻輳制御閾値を超過した時間帯と判断する。そして、最適化端末（101）は、電力瞬時値が輻輳制御閾値を超過した時間帯（『セルＩＤａ』の時刻12:00の時間帯）の情報（電力瞬時値、輻輳制御閾値）を基に、図８に示すような新規の瞬時値グラフ（304）を作成することになる。これにより、最適化端末（101）は、電力瞬時値が輻輳制御閾値を超過した時間帯（『セルＩＤａ』の時刻12:00の時間帯）を特定し、図８に示すように、輻輳制御が発生した時間帯の新規の瞬時値グラフ（304）を作成することが可能となる。このように、最適化端末（101）は、セル設定情報（輻輳制御閾値）と、統計情報（時間帯、電力瞬時値）と、を基に、電力瞬時値が輻輳制御閾値を超過した時間帯を特定し、図８に示すように、輻輳制御が発生した時間帯の新規の瞬時値グラフ（304）を作成することも可能である。
【００５９】
次に、図３の処理動作に戻り、最適化端末（101）は、図３に示すステップS5において作成した新規の瞬時値グラフ（304）のフィルタ係数を決定するための判断基準となる平均値グラフを作成する（ステップS6）。
【００６０】
なお、保守サーバ（102）は、図１１に示すように、平均値グラフを作成するための平均値グラフ作成情報（電力瞬時値、フィルタ係数）を、平均値グラフ識別情報に関係付けて複数管理している。平均値グラフ識別情報は、平均値グラフを識別するための情報である。そして、最適化端末（101）は、保守サーバ（102）を参照し、図１１に示す平均値グラフ作成情報（電力瞬時値、フィルタ係数）を保守サーバ（102）から取得し、その取得した平均値グラフ作成情報を基に、図１２に示す平均値グラフ（301）〜（303）を作成する。なお、図１２に示す平均値グラフ（301）〜（303）は、保守サーバ（102）から取得した平均値グラフ作成情報（電力瞬時値、フィルタ係数）を基にシミュレーションを行った状態を示している。
【００６１】
例えば、図１２（ａ）に示す平均値グラフ（301）は、図１１に示す『項番１』の電力瞬時値301と、フィルタ係数ｋ１と、を基に作成したグラフであり、電力瞬時値の電力平均値が高い値（例えば、電力平均値が最大電力値の80％程度の値）のグラフを示す。なお、電力平均値は、フィルタ係数を使用して電力瞬時値を平均化した値である。
【００６２】
また、図１２（ｂ）に示す平均値グラフ（302）は、図１１に示す『項番２』の電力瞬時値302と、フィルタ係数ｋ２と、を基に作成したグラフであり、電力瞬時値の電力平均値が中間の値（例えば、電力平均値が最大電力値の60％程度の値）のグラフを示す。
【００６３】
また、図１２（ｃ）に示す平均値グラフ（302）は、図１１に示す『項番３』の電力瞬時値303と、フィルタ係数ｋ３と、を基に作成したグラフであり、電力瞬時値の電力平均値が低い値（例えば、電力平均値が最大電力値の40％程度の値）のグラフを示す。
【００６４】
なお、％は、平均値グラフ（301）〜（303）の縦軸（電力値）の下限値（最低電力値）を0％、上限値（最大電力値）を100％とした場合の値を示している。また、平均値グラフ（301）の横軸（時間）は、セルの電力瞬時値を測定した所定の時間幅となる。また、図８に示す新規の瞬時値グラフ（304）と、図１２に示す平均値グラフ（301）〜（303）と、の縦軸（電力値）と横軸（時間）の値は、対応しているものとする。なお、一般的に、電力平均値が高いほど、フィルタ係数が大きくなるため、フィルタ係数ｋ１、ｋ２、ｋ３の関係は、ｋ１＞ｋ２＞ｋ３となる。
【００６５】
また、平均値グラフは、本システムを構成する各セルのフィルタ係数を決定する際に使用する共通のグラフとなる。このため、保守サーバ（102）は、平均値グラフを作成するための平均値グラフ作成情報を予め生成し、その生成した平均値グラフ作成情報を平均値グラフ識別情報に関係付けて管理することになる。なお、平均値グラフ作成情報の管理方法は、特に限定するものではなく、あらゆる方法で平均値グラフ作成情報を管理することが可能である。
【００６６】
例えば、平均値グラフ作成情報として、『フィルタ係数』と、『電力瞬時値』と、フィルタ係数で電力瞬時値を平均化した『電力平均値』と、を作成し、保守サーバ（102）で管理することも可能である。この場合、最適化端末（101）は、保守サーバ（102）を参照し、新規の瞬時値グラフ（304）の電力瞬時値と値が近接する電力平均値を、保守サーバ（102）の中から特定する。そして、その特定した電力平均値と関係付けられたフィルタ係数を、保守サーバ（102）の中から選択するように構築することも可能となる。
【００６７】
また、平均値グラフ作成情報として、『フィルタ係数』と、『電力瞬時値』と、『電力平均値』と、『時間平均値』と、を作成し、保守サーバ（102）で管理することも可能である。この場合、最適化端末（101）は、保守サーバ(102)を参照し、新規の瞬時値グラフ（304）の時間平均値と値が近接する時間平均値を、保守サーバ（102）の中から特定する。そして、その特定した時間平均値と関係付けられたフィルタ係数を、保守サーバ（102）の中から選択するように構築することも可能となる。時間平均値は、電力瞬時値を所定間隔毎にプロット（選定）し、そのプロットした電力瞬時値を平均化した値である。なお、時間平均値は、電力平均値を所定間隔毎にプロット（選定）し、そのプロットした電力平均値を平均化した値を適用することも可能である。
【００６８】
次に、最適化端末（101）は、フィルタ係数選択の第１段階として、図８に示す新規の瞬時値グラフ（304）と、図１２に示す平均値グラフ（301）〜（303）と、を比較し、その比較結果が所定の誤差の範囲内（例えば、誤差が約５％以内）で一致する平均値グラフを特定する。そして、最適化端末（101）は、その特定した平均値グラフのフィルタ係数を選択する（ステップS7）。
【００６９】
例えば、最適化端末（101）は、図８に示す新規の瞬時値グラフ（304）の電力瞬時値の時間平均値と、図１２に示す平均値グラフ（301）〜（303）の電力瞬時値の時間平均値と、を比較し、新規の瞬時値グラフ（304）の時間平均値と値が近接する時間平均値の平均値グラフを特定する。そして、最適化端末（101）は、その特定した平均値グラフのフィルタ係数を選択する。
【００７０】
なお、図８に示す新規の瞬時値グラフ（304）の時間平均値が輻輳制御閾値以上の場合には、時間平均値が輻輳制御閾値未満という条件を満足するように、輻輳制御閾値を、時間平均値よりも高く設定変更することになる（例えば、最大電力値である100％）。
【００７１】
＜フィルタ係数選択の第１段階の詳細処理＞
ここで、図８、図１２、図１３を参照しながら、第１段階の詳細処理について説明する。図１３は、フィルタ係数選択の第１段階の処理動作を示す図である。
まず、最適化端末（101）は、図８に示す新規の瞬時値グラフ（304）の時間平均値と、図１２（ａ）に示す平均値グラフ（301）の時間平均値と、を比較し、時間平均値が一致するか否かを判断する（ステップA1）。
【００７２】
最適化端末（101）は、時間平均値がほぼ一致すると判断した場合（例えば、時間平均値の比較差が約５％以内の場合）は（ステップA1／Yes）、平均値グラフ（301）が、新規の瞬時値グラフ（304）と近接すると判断し、平均値グラフ（301）の電力平均値を算出する際に使用したフィルタ係数ｋ１を選択する（ステップA2）。
【００７３】
また、最適化端末（101）は、時間平均値が一致しないと判断した場合は（ステップA1／No）、新規の瞬時値グラフ（304）の時間平均値と、図１２（ｂ）に示す平均値グラフ（302）の時間平均値と、を比較し、時間平均値が一致するか否かを判断する（ステップA3）。
【００７４】
最適化端末（101）は、時間平均値がほぼ一致すると判断した場合は（ステップA3／Yes）、平均値グラフ（302）が、新規の瞬時値グラフ（304）と近接すると判断し、平均値グラフ（302）の電力平均値を算出する際に使用したフィルタ係数ｋ２を選択する（ステップA4）。
【００７５】
また、最適化端末（101）は、時間平均値が一致しないと判断した場合は（ステップA3／No）、新規の瞬時値グラフ（304）の時間平均値と、図１２（ｃ）に示す平均値グラフ（303）の時間平均値と、を比較し、時間平均値が一致するか否かを判断する（ステップA5）。
【００７６】
最適化端末（101）は、時間平均値がほぼ一致すると判断した場合は（ステップA5／Yes）、平均値グラフ（303）が、新規の瞬時値グラフ（304）と近接すると判断し、平均値グラフ（303）の電力平均値を算出する際に使用したフィルタ係数ｋ３を選択する（ステップA6）。
【００７７】
また、最適化端末（101）は、時間平均値が一致しないと判断した場合は（ステップA5／No）、新規の瞬時値グラフ（304）の時間平均値と近接する時間平均値の平均値グラフを特定し、その特定した平均値グラフの電力平均値を算出する際に使用したフィルタ係数を選択することになる（ステップA7）。
【００７８】
なお、新規の瞬時値グラフ（304）の時間平均値と、平均値グラフ（301〜303）の時間平均値と、の比較方法は、特に限定するものではなく、新規の瞬時値グラフ（304）の時間平均値と近接する時間平均値の平均値グラフを特定することが可能であれば、あらゆる比較方法を適用することが可能である。
【００７９】
例えば、図１３では、電力平均値の高い平均値グラフの順（301→302→303の順）に比較するようにしたが、電力平均値の低い平均値グラフの順（303→302→301の順）に比較するように制御することも可能である。また、複数の平均値グラフ（301〜303）の中からランダムに選択したグラフと比較するように制御することも可能である。但し、比較処理の処理時間を考慮すると、図１３に示すように電力平均値の高い平均値グラフの順（301→302→303の順）に比較するように制御することが好ましい。また、複数の平均値グラフ（301〜303）の中から新規の瞬時値グラフ（304）の時間平均値と近接する電力平均値を持つ少なくとも１つの平均値グラフを特定し、その特定した平均値グラフの時間平均値と、新規の瞬時値グラフ（304）の時間平均値と、を比較するように制御することも可能である。
【００８０】
なお、本実施形態では、図８に示す新規の瞬時値グラフ（304）の時間平均値は、図１２（ｂ）に示す平均値グラフ（302）の時間平均値と近接することになる。このため、最適化端末（101）は、平均値グラフ（302）の電力平均値を算出する際に使用したフィルタ係数ｋ２を選択することになる。
【００８１】
次に、図３の処理動作に戻り、最適化端末（101）は、フィルタ係数選択の第２段階として、上記第１段階で選択したフィルタ係数ｋ２の微調整を行うことになる。この場合、最適化端末（101）は、フィルタ係数ｋ２を使用して算出した新規の瞬時値グラフ（304）の電力平均値：Ｆ（ｎ）が、新規の瞬時値グラフ（304）の輻輳制御閾値と近接するように、フィルタ係数ｋ２を微調整する。そして、最適化端末（101）は、その微調整したフィルタ係数を、新たなフィルタ係数に決定する（ステップS8）。
【００８２】
なお、電力平均値：Ｆ（ｎ）は、ある時刻：ｎの電力瞬時値の電力平均値であり、Ｆ（ｎ）＝Ｆ（Ｆ（ｎ−１）、Ｍ（ｎ）、ｋ２）の関数となる。但し、Ｆ（ｎ−１）は、時刻：ｎの直前の時刻：（ｎ−１）の電力平均値、Ｍ（ｎ）は、時刻：ｎの電力瞬時値、ｋ２は、上記第１段階で選択したフィルタ係数である。
【００８３】
このように、電力平均値：Ｆ（ｎ）は、ある時刻：ｎの電力瞬時値：Ｍ（ｎ）と、ある時刻：ｎの直前の時刻：（ｎ−１）の電力平均値：Ｆ（ｎ−１）と、をフィルタ係数ｋ２で重み付けする計算式となる。なお、電力平均値：Ｆ（ｎ）を算出する式としては、例えば、以下の（式１）が挙げられる。
【００８４】
（式１）
Ｆ（ｎ）＝（１−ａ）×Ｆ（ｎ−１）＋ａ×Ｍ（ｎ）
但し、ａ＝（１／２）(k2/2)、開始時刻ｎ＝０ではＦ（０）＝Ｍ（０）とする。
【００８５】
＜フィルタ係数選択の第２段階の詳細処理＞
ここで、図１４、図１５を参照しながら、上述した第２段階の詳細処理について説明する。図１４は、フィルタ係数選択の第２段階の処理動作を示す図である。図１５は、各種のフィルタ係数を使用して算出した新規の瞬時値グラフ（304）の電力平均値を示す図である。
【００８６】
まず、最適化端末（101）は、図１５（ａ）に示すように、上記第１段階で選択したフィルタ係数ｋ２を使用し、新規の瞬時値グラフ（304）の電力瞬時値を平均化した電力平均値：Ｆ（ｎ）を算出する。
【００８７】
そして、最適化端末（101）は、フィルタ係数ｋ２を使用して算出した電力平均値：Ｆ（ｎ）が、新規の瞬時値グラフ（304）の輻輳制御閾値よりも低いか否かを判断する（ステップB1）。なお、最適化端末（101）は、上記の図３に示すステップS7の処理で、輻輳制御閾値を、新規の瞬時値グラフ（304）の時間平均値よりも高く設定変更した場合には、その設定変更後の輻輳制御閾値を用いることになる。
【００８８】
最適化端末（101）は、フィルタ係数ｋ２を使用して算出した電力平均値：Ｆ（ｎ）が輻輳制御閾値よりも低いと判断した場合には（ステップB1／Yes）、フィルタ係数ｋ２の値を所定の値（Δｋ）だけ減らし（ｋ２−Δｋ）、フィルタ係数ｋ２を微調整する。そして、最適化端末（101）は、図１５（ｂ）に示すように、所定の値（Δｋ）だけ微調整した微調整フィルタ係数ｋ２−Δｋを使用し、新規の瞬時値グラフ（304）の電力瞬時値を平均化した電力平均値：Ｆ（ｎ）を算出する。
【００８９】
そして、最適化端末（101）は、微調整フィルタ係数ｋ２−Δｋを使用して算出した電力平均値：Ｆ（ｎ）が、輻輳制御閾値よりも低いか否かを判断する（ステップB2）。最適化端末（101）は、微調整フィルタ係数ｋ２−Δｋを使用して算出した電力平均値：Ｆ（ｎ）が、輻輳制御閾値よりも低くないと判断した場合には（ステップB2／No）、フィルタ係数ｋ２を新たなフィルタ係数に決定する（ステップB3）。
【００９０】
また、最適化端末（101）は、微調整フィルタ係数ｋ２−Δｋを使用して算出した電力平均値：Ｆ（ｎ）が、輻輳制御閾値よりも低いと判断した場合には（ステップB2／Yes）、微調整フィルタ係数ｋ２−Δｋの値を所定の値（Δｋ）だけ減らし（ｋ２−Δｋ×２）、フィルタ係数ｋ２−Δｋを微調整する。そして、最適化端末（101）は、図１５（ｃ）に示すように、所定の値（Δｋ）だけ微調整した微調整フィルタ係数ｋ２−Δｋ×２を使用し、新規の瞬時値グラフ（304）の電力瞬時値を平均化した電力平均値：Ｆ（ｎ）を算出する。
【００９１】
そして、最適化端末（101）は、微調整フィルタ係数ｋ２−Δｋ×２を使用して算出した電力平均値：Ｆ（ｎ）が、輻輳制御閾値よりも低いか否かを判断する（ステップB4）。最適化端末（101）は、微調整フィルタ係数ｋ２−Δｋ×２を使用して算出した電力平均値：Ｆ（ｎ）が、輻輳制御閾値よりも低くないと判断した場合には（ステップB4／No）、フィルタ係数ｋ２−Δを新たなフィルタ係数に決定する（ステップB5）。
【００９２】
また、最適化端末（101）は、微調整フィルタｋ２−Δｋ×２を使用して算出した電力平均値：Ｆ（ｎ）が、輻輳制御閾値よりも低いと判断した場合には（ステップB4／Yes）、微調整フィルタ係数ｋ２−Δｋ×２の値を所定の値（Δｋ）だけ減らし（ｋ２−Δｋ×３）、フィルタ係数ｋ２−Δｋ×２を微調整する。そして、最適化端末（101）は、所定の値（Δｋ）だけ微調整した微調整フィルタ係数ｋ２−Δｋ×３を使用し、新規の瞬時値グラフ（304）の電力瞬時値を平均化した電力平均値：Ｆ（ｎ）を算出する。
【００９３】
そして、最適化端末（101）は、微調整フィルタ係数ｋ２−Δｋ×３を使用して算出した電力平均値：Ｆ（ｎ）が、輻輳制御閾値よりも低いか否かを判断する（ステップB6）。なお、最適化端末（101）は、微調整フィルタ係数を使用して算出した電力平均値：Ｆ（ｎ）が輻輳制御閾値よりも高くなるまで、フィルタ係数の値を所定の値（Δｋ）ずつ段階的に減らし、上述した判断処理を行うことになる。そして、最適化端末（101）は、微調整フィルタ係数を使用して算出した電力平均値：Ｆ（ｎ）が輻輳制御閾値よりも高くなった場合に、その微調整フィルタ係数の直前のフィルタ係数を、新たなフィルタ係数に決定する。
【００９４】
また、最適化端末（101）は、フィルタ係数ｋ２を使用して算出した電力平均値：Ｆ（ｎ）が、輻輳制御閾値よりも低くないと判断した場合には（ステップB1／No）、フィルタ係数ｋ２の値を所定の値（Δｋ）だけ増やし（ｋ２＋Δｋ）、フィルタ係数ｋ２を微調整する。そして、最適化端末（101）は、所定の値（Δｋ）だけ微調整した微調整フィルタ係数ｋ２＋Δｋを使用し、新規の瞬時値グラフ（304）の電力瞬時値を平均化した電力平均値：Ｆ（ｎ）を算出する。
【００９５】
そして、最適化端末（101）は、微調整フィルタ係数ｋ２＋Δｋを使用して算出した電力平均値：Ｆ（ｎ）が、輻輳制御閾値よりも低いか否かを判断する（ステップB'2）。最適化端末（101）は、微調整フィルタ係数ｋ２＋Δｋを使用して算出した電力平均値：Ｆ（ｎ）が、輻輳制御閾値よりも低いと判断した場合には（ステップB'2／Yes）、フィルタ係数ｋ２＋Δｋを新たなフィルタ係数に決定する（ステップB'3）。
【００９６】
また、最適化端末（101）は、微調整フィルタｋ２＋Δｋを使用して算出した電力平均値：Ｆ（ｎ）が、輻輳制御閾値よりも低くないと判断した場合には（ステップB'2／No）、微調整フィルタ係数ｋ２＋Δｋの値を所定の値（Δｋ）だけ増やし（ｋ２＋Δｋ×２）、フィルタ係数ｋ２＋Δｋを微調整する。そして、最適化端末（101）は、所定の値（Δｋ）だけ微調整した微調整フィルタ係数ｋ２＋Δｋ×２を使用し、新規の瞬時値グラフ（304）の電力瞬時値を平均化した電力平均値：Ｆ（ｎ）を算出する。
【００９７】
そして、最適化端末（101）は、微調整フィルタ係数ｋ２＋Δｋ×２を使用して算出した電力平均値：Ｆ（ｎ）が、輻輳制御閾値よりも低いか否かを判断する（ステップB'4）。最適化端末（101）は、微調整フィルタ係数ｋ２＋Δｋ×２を使用して算出した電力平均値：Ｆ（ｎ）が、輻輳制御閾値よりも低いと判断した場合には（ステップB'4／Yes）、フィルタ係数ｋ２＋Δｋ×２を新たなフィルタ係数に決定する（ステップB'5）。
【００９８】
また、最適化端末（101）は、微調整フィルタｋ２＋Δｋ×２を使用して算出した電力平均値：Ｆ（ｎ）が、輻輳制御閾値よりも低くないと判断した場合には（ステップB'4／No）、微調整フィルタ係数ｋ２＋Δｋ×２の値を所定の値（Δｋ）だけ増やし（ｋ２＋Δｋ×３）、フィルタ係数ｋ２＋Δｋ×２を微調整する。そして、最適化端末（101）は、所定の値（Δｋ）だけ微調整した微調整フィルタ係数ｋ２＋Δｋ×３を使用し、新規の瞬時値グラフ（304）の電力瞬時値を平均化した電力平均値：Ｆ（ｎ）を算出する。
【００９９】
そして、最適化端末（101）は、微調整フィルタ係数ｋ２＋Δｋ×３を使用して算出した電力平均値：Ｆ（ｎ）が、輻輳制御閾値よりも低いか否かを判断する（ステップB'6）。なお、最適化端末（101）は、微調整フィルタ係数を使用して算出した電力平均値：Ｆ（ｎ）が輻輳制御閾値よりも低くなるまで、フィルタ係数の値を所定の値（Δｋ）ずつ段階的に増やし、上述した判断処理を行うことになる。そして、最適化端末（101）は、微調整フィルタ係数を使用して算出した電力平均値：Ｆ（ｎ）が輻輳制御閾値よりも低くなった場合に、その微調整フィルタ係数を、新たなフィルタ係数に決定する。
【０１００】
なお、本実施形態では、図１５（ｃ）に示す微調整フィルタ係数ｋ２−Δｋ×２を使用して算出した電力平均値：Ｆ（ｎ）が、新規の瞬時値グラフ（304）の輻輳制御閾値よりも高いと判断することになる。このため、最適化端末（101）は、微調整フィルタ係数ｋ２−Δｋを、新規の瞬時値グラフ（304）の新たなフィルタ係数に決定する。
【０１０１】
これにより、最適化端末（101）は、調整後のフィルタ係数を使用して算出した電力平均値：Ｆ（ｎ）が、新規の瞬時値グラフ（304）の輻輳制御閾値と近接するように、フィルタ係数ｋ２を微調整し（ｋ２−Δｋ）、その微調整したフィルタ係数ｋ２−Δｋを、新たなフィルタ係数に決定することになる。
【０１０２】
次に、図３の処理動作に戻り、最適化端末(101)は、新規の瞬時値グラフ（304）のセルＩＤを基に、上記の第２段階で決定した新たなフィルタ係数ｋ２−Δｋを、保守サーバ（102）に保存する（ステップS9）。これにより、最適化端末（101）は、保守サーバ（102）に保存されている図６に示すセル設定情報のフィルタ係数を、新たなフィルタ係数ｋ２−Δｋに更新することが可能となる。
【０１０３】
なお、最適化端末（101）は、上記の図３のステップS7の処理で、輻輳制御閾値を、新規の瞬時値グラフ（304）の時間平均値よりも高く設定変更した場合には、その設定変更後の輻輳制御閾値を保守サーバ（102）に保存する。これにより、最適化端末（101）は、保守サーバ（102）に保存されている図６に示すセル設定情報の輻輳制御閾値も、新たな輻輳制御閾値に更新することになる。
【０１０４】
次に、保守サーバ（102）または保守端末（103）は、保守サーバ（102）に保存されているセル設定情報の中で、フィルタ係数の更新が行われたセルＩＤを特定し、その特定したセルＩＤのフィルタ係数を設定変更するための変更コマンドを作成する。この場合、保守サーバ（102）または保守端末（103）は、輻輳制御閾値の更新が行われている場合には、輻輳制御閾値を設定変更するための変更コマンドも作成することになる。そして、保守サーバ（102）または保守端末（103）は、上記作成した変更コマンドを無線ネットワーク制御局（104）に送信する（ステップS10）。
【０１０５】
なお、上記変更コマンドの作成や送信方法は、特に限定するものではなく、あらゆる方法が適用可能である。例えば、人手操作で、保守サーバ（102）または保守端末（103）が変更コマンドを作成し、その作成した変更コマンドを無線ネットワーク制御局（104）に送信することも可能である。また、自動的に、保守サーバ（102）または保守端末（103）が変更コマンドを作成し、その作成した変更コマンドを無線ネットワーク制御局（104）に送信することも可能である。
【０１０６】
無線ネットワーク制御局（104）は、変更コマンドを受け付けた場合に、その変更コマンドを基に、無線ネットワーク制御局（104）で管理している図４に示すセル設定情報を変更する。そして、無線ネットワーク制御局（104）は、変更後のフィルタ係数ｋ２−Δｋを使用し、電力平均値（電力瞬時値の平均値）を算出する。そして、無線ネットワーク制御局（104）は、その算出した電力平均値が輻輳制御閾値を超過したか否かを判断することになる（ステップS11）。
【０１０７】
無線ネットワーク制御局（104）は、電力平均値が輻輳制御閾値を超過したと判断した場合は（ステップS12／Yes）、セルに対する輻輳制御を開始する（ステップS13）。この場合、無線ネットワーク制御局（104）は、輻輳制御を開始する対象セルのセルＩＤと、輻輳制御の開始通知と、を無線基地局（105）に送信する。
【０１０８】
無線基地局（105）は、セルＩＤと、輻輳制御の開始通知と、を受け付けた場合に、そのセルＩＤに該当する対象セルの通信規制を開始し、対象セルと、無線端末（107）と、の間の新規の接続を拒否する。また、無線基地局（105）は、対象セル内で通信中の無線端末（107）の通信速度を低く規制するように制御する（ステップS14）。これにより、無線基地局（105）は、対象セルが輻輳した場合に、電力量の増加を防止することが可能となる。
【０１０９】
なお、無線ネットワーク制御局（104）は、上記ステップS13で輻輳制御を開始した後に、対象セルの電力平均値が輻輳制御閾値よりも低くなったと判断した場合には（ステップS12／No）、輻輳制御を解除する（ステップS15）。この場合、無線ネットワーク制御局（104）は、輻輳制御を解除する対象セルのセルＩＤと、輻輳制御の解除通知と、を無線基地局（105）に送信する。
【０１１０】
無線基地局（105）は、セルＩＤと、輻輳制御の解除通知と、を受け付けた場合に、そのセルＩＤに該当する対象セルの通信規制を解除し、対象セルと、無線端末（107）と、の間の新規の接続を許容する。また、無線基地局（105）は、対象セル内で通信中の無線端末（107）の通信速度の規制を解除する。
【０１１１】
次に、保守サーバ（102）または保守端末（103）は、上記ステップS3、S4と同様な処理を行い、フィルタ係数変更後の統計情報を無線ネットワーク制御局（104）から収集し、該収集した統計情報をセル毎に保守サーバ（102）で管理する（ステップS16、S17）。そして、保守サーバ（102）または保守端末（103）は、保守サーバ（102）で管理しているフィルタ係数変更後の統計情報と、フィルタ係数変更前の統計情報と、を比較し、輻輳制御回数の減少を確認することになる（ステップS18）。
【０１１２】
なお、保守サーバ（102）または保守端末（103）は、輻輳制御回数の減少を確認できない場合には、再度、フィルタ係数の変更を行うように制御することも可能である。例えば、保守サーバ（102）または保守端末（103）は、フィルタ係数変更後の統計情報を、無線ネットワーク制御局（104）から定期的に収集し、その定期的に収集した統計情報に含まれる輻輳制御回数を確認する。そして、保守サーバ（102）または保守端末（103）は、輻輳制御回数の減少を確認できない場合には、無線ネットワーク制御局（104）において継続的に輻輳制御が発生していると判断し、再度、フィルタ係数の変更を行うように制御する。
【０１１３】
また、保守サーバ（102）または保守端末（103）は、無線ネットワーク制御局（104）のフィルタ係数の設定変更を繰り返し、フィルタ係数を所定の値（例えば、最大値）に設定変更しても、輻輳制御回数の減少を確認できない場合には、無線基地局（105）の電力容量が限界値に到達したと判断する。この場合、保守サーバ（102）または保守端末（103）は、無線基地局（105）を増設するように制御することも可能である。これにより、無線基地局（105）の電力容量が限界値に到達したか否かを正確に判断し、無線基地局（105）の増設の必要性の可否を正確に判断することが可能となる。その結果、無線基地局（105）の設備投資費用を削減することが可能となる。
【０１１４】
＜本実施形態の無線通信システムにおける作用・効果＞
このように、本実施形態における無線通信システムでは、まず、保守サーバ（102）は、セル設定情報（輻輳制御閾値、フィルタ係数）と、統計情報（時間帯、電力瞬時値、輻輳制御回数）と、を無線ネットワーク制御局（104）から収集する。そして、その収集したセル設定情報と、統計情報と、をセル（セルＩＤ）毎に保守サーバ（102）に保存して管理する。
【０１１５】
次に、最適化端末（101）は、保守サーバ（102）で管理しているセル設定情報と、統計情報と、を収集し、その収集したセル設定情報と、統計情報と、を基に、輻輳制御が発生した時間帯を特定し、図８に示すように、輻輳制御が発生した時間帯の新規の瞬時値グラフ（304）を作成する。また、最適化端末（101）は、新規の瞬時値グラフ（304）のフィルタ係数を決定するための判断基準となる図１２に示す平均値グラフ（301）〜（303）を作成する。
【０１１６】
次に、最適化端末（101）は、図８に示す新規の瞬時値グラフ（304）と、図１２に示す平均値グラフ（301）〜（303）と、を比較し、その比較結果が所定の誤差の範囲内で一致する平均値グラフ（302）を特定する。そして、最適化端末（101）は、その特定した平均値グラフ（302）を作成する際に使用したフィルタ係数ｋ２を選択する。
【０１１７】
また、最適化端末（101）は、上記選択したフィルタ係数ｋ２を使用して算出した新規の瞬時値グラフ（304）の電力平均値：Ｆ（ｎ）が、その新規の瞬時値グラフ（304）の輻輳制御閾値と近接するように、フィルタ係数ｋ２を微調整する（ｋ２−Δｋ）。そして、最適化端末（101）は、その微調整したフィルタ係数ｋ２−Δｋを、電力平均値（電力瞬時値の平均値）を算出する際に使用する新たなフィルタ係数に決定する。
【０１１８】
これにより、本実施形態における無線通信システムは、電力平均値を算出する際に使用するフィルタ係数を効率的に決定することが可能となる。
【０１１９】
次に、最適化端末（101）は、上記決定した新たなフィルタ係数ｋ２−Δｋを、保守サーバ（102）に保存し、保守サーバ（102）で保存しているセル設定情報のフィルタ係数を、新たなフィルタ係数ｋ２−Δｋに更新する。保守サーバ（102）は、セル設定情報の更新が行われたフィルタ係数ｋ２−Δｋを、無線ネットワーク制御局（104）に送信し、無線ネットワーク制御局（104）で管理しているセル設定情報を変更する。そして、無線ネットワーク制御局（104）は、変更後のフィルタ係数ｋ２−Δｋを使用し、セルの電力平均値を算出し、その算出した電力平均値が輻輳制御閾値を超過したか否かを判断し、その判断結果に応じて輻輳制御を行うことになる。
【０１２０】
これにより、無線ネットワーク制御局（104）は、新たなフィルタ係数を使用して算出した電力平均値（電力瞬時値を平均化した値）が輻輳制御閾値を超過した場合に、輻輳制御を行うことになる。その結果、無線ネットワーク制御局（104）は、電力瞬時値が輻輳制御閾値を一時的に超過した状態では、輻輳が発生したと判断せず、無線基地局（105）の輻輳制御を行うことがないため、無線基地局（105）の電力容量の有効活用を図ることが可能となる。
【０１２１】
次に、保守サーバ（102）または保守端末（103）は、無線ネットワーク制御局（104）のフィルタ係数の設定変更を繰り返し、フィルタ係数を所定の値（例えば、最大値）に設定変更しても、輻輳制御回数の減少を確認できない場合には、無線基地局（105）を増設するように制御する。
【０１２２】
これにより、本実施形態における無線通信システムは、無線基地局（105）の電力容量が限界値に到達したか否かを正確に判断し、無線基地局（105）の増設の必要性の可否を正確に判断することが可能となる。その結果、無線基地局（105）の設備投資費用を削減することが可能となる。
【０１２３】
（第２の実施形態）
次に、第２の実施形態について説明する。
【０１２４】
第２の実施形態における無線通信システムは、電力平均値を算出する際に使用するフィルタ係数を、複数の事業者が設定変更することを特徴とする。
【０１２５】
これにより、フィルタ係数を１つの事業者が一括して設定変更するのではなく、複数の事業者が分散して設定変更することが可能となるため、フィルタ係数の設定変更の処理を分散することが可能となる。また、各事業者に応じたフィルタ係数に設定変更することが可能となるため、様々な状況に対応可能なフィルタ係数に設定変更することが可能となる。以下、図１６〜図１９を参照しながら、第２の実施形態の無線通信システムについて詳細に説明する。
【０１２６】
＜無線通信システムのシステム構成＞
まず、図１６を参照しながら、本実施形態の無線通信システムのシステム構成について説明する。
【０１２７】
本実施形態における無線通信システムは、最適化端末（501）と、データサーバ（502）と、保守サーバ（503）と、保守端末（103）と、無線ネットワーク制御局（104）と、無線基地局（105）と、コアネットワーク（106）と、無線端末（107）と、を有して構成している。
【０１２８】
なお、本実施形態における無線通信システムは、最適化端末（501）と、データサーバ（502）と、をサービス事業者が保持するように構成している。また、保守サーバ（503）と、保守端末（103）と、を通信事業者が保持するように構成している。なお、図１６では、１つのサービス事業者が、最適化端末（501）と、データサーバ（502）と、を保持する構成を示したが、複数のサービス事業者が、最適化端末（501）と、データサーバ（502）と、を各々保持するようにすることが可能である。
【０１２９】
なお、図１６に示す、保守端末（103）と、無線ネットワーク制御局（104）と、無線基地局（105）と、コアネットワーク（106）と、無線端末（107）と、は、第１の実施形態と同様に構成する。
【０１３０】
＜最適化端末：501＞
最適化端末（501）は、パーソナル・コンピュータなどの情報処理装置であり、各サービス事業者に少なくとも１台設置する。なお、本実施形態における最適化端末（501）は、セル設定情報（輻輳制御閾値、フィルタ係数）と、統計情報（時間帯、電力瞬時値、輻輳制御回数）と、をデータサーバ（502）から収集する機能を持つ。また、最適化端末（501）は、データサーバ（502）から収集したセル設定情報と、統計情報と、を基に、新たなフィルタ係数を決定する機能を持つ。即ち、最適化端末（501）は、図１に示す収集部（１）と、決定部（２）と、を有して構成し、フィルタ係数を決定する係数決定装置として機能することになる。
【０１３１】
＜データサーバ：502＞
データサーバ（502）は、ワークステーションなどの情報処理装置であり、各サービス事業者に少なくとも１台設置する。なお、本実施形態におけるデータサーバ（502）は、サービス事業者が使用する無線基地局（105）に該当するセル設定情報と、統計情報と、使用情報と、を保守サーバ（503）から収集し、データサーバ（502）に保存する機能を持つ。なお、使用情報は、サービス事業者が無線基地局（105）を使用する際の情報であり、例えば、サービス事業者が無線基地局（105）を使用する使用期間や、使用条件などが挙げられる。
【０１３２】
＜保守サーバ：503＞
保守サーバ（503）は、ワークステーションなどの情報処理装置である。なお、本実施形態における保守サーバ（503）は、セル設定情報と、統計情報と、を無線ネットワーク制御局（104）から収集し、保守サーバ（503）に保存する機能を持つ。また、保守サーバ（503）は、サービス事業者が使用する無線基地局（105）の情報をサービス事業者毎に管理する機能を持つ。
【０１３３】
なお、図１６に示すシステム構成では、コアネットワーク（106）と、無線ネットワーク制御局（104）と、は専用網で接続している。また、無線ネットワーク制御局（104）と、無線基地局（105）と、は専用網で接続している。また、無線ネットワーク制御局（104）と、保守端末（103）と、保守サーバ（503）と、はLANで接続している。また、最適化端末（501）と、データサーバ（502）と、はLANで接続している。また、通信事業者側の装置（103、104、503）と、サービス事業者側の装置（501、502）と、はインターネットで接続している。しかし、本実施形態における無線通信システムは、各装置間で情報通信が可能であれば、各装置間の接続構成は、特に限定するものではなく、有線、無線を問わずあらゆる通信形態で接続することが可能である。
【０１３４】
＜無線通信システムにおける処理動作＞
次に、図１７を参照しながら、本実施形態の無線通信システムにおける一連の処理動作について詳細に説明する。図１７は、本実施形態の無線通信システムにおける一連の処理動作例を示す図である。なお、以下の処理動作では、無線基地局（105）と、無線ネットワーク制御局（104）と、保守サーバ（503）／保守端末（103）と、最適化端末（501）／データサーバ（502）と、の処理動作について説明する。
【０１３５】
まず、保守サーバ（503）は、第１の実施形態と同様に、無線ネットワーク制御局（104）でセル毎に管理しているセル設定情報と、統計情報と、を収集し、該収集したセル設定情報と、統計情報と、を保守サーバ（503）に保存して管理する（ステップS1〜S4）。これにより、保守サーバ（503）は、図６、図７に示すように、セル設定情報と、統計情報と、を保守サーバ（503）に保存して管理することが可能となる。
【０１３６】
次に、最適化端末（501）は、保守サーバ（503）で管理する図６、図７に示すセル設定情報や、統計情報を参照し、サービス事業者が使用する無線基地局（105）を決定する。そして、最適化端末（501）は、サービス事業者が使用する無線基地局（105）の情報を事業者ＩＤと共に、保守サーバ（503）に登録する（ステップS100）。なお、事業者ＩＤは、サービス事業者を特定するための情報である。
【０１３７】
なお、上記処理の具体例としては、通信事業者は、保守端末（103）を操作し、保守サーバ（503）で管理する図６、図７に示すセル設定情報や統計情報を、サービス事業者の最適化端末（501）に送信する。この時、通信事業者は、保守端末（103）を操作し、システムで運用中の無線基地局（105）の位置情報、その無線基地局（105）のセル設定情報や統計情報の取扱情報、フィルタ係数を変更する際の単価情報などの包括条件も最適化端末（501）に送信する。なお、位置情報は、無線基地局（105）を使用している地域を特定するための情報である。また、取扱情報は、例えば、セル設定情報や、統計情報を第三者に開示しない旨の合意内容などの情報である。この場合、サービス事業者は、最適化端末（501）を操作し、セル設定情報や統計情報や包括条件などを基に、サービス事業者が使用する無線基地局（105）を決定する。そして、その決定した無線基地局（105）に関わる包括条件に合意する旨の情報を、保守サーバ（503）と、データサーバ（502）と、に登録することになる。
【０１３８】
保守サーバ（503）は、サービス事業者が使用する無線基地局（105）の登録処理が行われた場合に、図６に示すセル設定情報を参照し、サービス事業者が使用する無線基地局（105）の基地局ＩＤを特定する。そして、保守サーバ（503）は、その特定した基地局ＩＤに対し、サービス事業者を特定するための事業者ＩＤを付与し、サービス事業者が使用する無線基地局（105）の情報を保守サーバ（503）に保存して管理する。
【０１３９】
これにより、保守サーバ（503）は、図６に示すセル設定情報を、図１８に示すように更新し、事業者ＩＤに関係付けてセル設定情報（輻輳制御閾値、フィルタ係数）を管理することになる。なお、図１８では、事業者ＩＤと共に、使用情報も付与している。使用情報は、サービス事業者が無線基地局（105）を使用する際の情報であり、例えば、サービス事業者が無線基地局（105）を使用する使用期間や、使用条件などが挙げられる。
【０１４０】
なお、保守サーバ（503）は、サービス事業者が使用する無線基地局（105）の情報を管理することが可能であれば、その管理方法は、上述した管理方法に限定するものではなく、あらゆる管理方法が適用可能である。
【０１４１】
次に、保守サーバ（503）は、図１８に示す事業者ＩＤを基に、サービス事業者が使用する無線基地局（基地局ＩＤ）を特定し、サービス事業者が使用する無線基地局（基地局ＩＤ）に該当するセル設定情報と、統計情報と、使用情報と、をデータサーバ（502）に送信する。データサーバ（502）は、保守サーバ（503）からセル設定情報と、統計情報と、使用情報と、を受信した場合に、その受信したセル設定情報と、統計情報と、をセル（セルＩＤ）毎に保存して管理する（ステップS101）。
【０１４２】
例えば、保守サーバ（503）は、サービス事業者が使用する事業者ＩＤａを基に、そのサービス事業者（事業者ＩＤａ）が使用する無線基地局（基地局ＩＤａ）を特定する。そして、保守サーバ（503）は、そのサービス事業者（事業者ＩＤａ）が使用する無線基地局（基地局ＩＤａ）に該当するセル設定情報と、統計情報と、使用情報と、をデータサーバ（502）に送信する。これにより、データサーバ（502）は、図１９に示すように、サービス事業者（事業者ＩＤａ）が使用する無線基地局（基地局ＩＤａ）に該当するセル設定情報（輻輳制御閾値、フィルタ係数）と、統計情報（時間帯、電力瞬時値、輻輳制御回数）と、をセル（セルＩＤ）毎に管理することが可能となる。
【０１４３】
なお、データサーバ（502）は、図１９に示すように、サービス事業者が使用する無線基地局に該当するセル設定情報と、統計情報と、をセル毎に管理することが可能であれば、その取得方法や管理方法は、特に限定するものではなく、あらゆる方法が適用可能である。
【０１４４】
例えば、通信事業者は、保守端末（103）を操作し、保守サーバ（503）を参照し、サービス事業者（事業者ＩＤａ）が使用する無線基地局（105）に関するセル設定情報や統計情報や使用情報を、保守サーバ（503）のサービス事業者（事業者ＩＤａ）専用フォルダに登録する。そして、通信事業者は、保守端末（103）を操作し、サービス事業者専用フォルダに情報を登録した旨と、そのフォルダへのアクセス方法をサービス事業者の最適化端末（501）に送信する。この時、通信事業者は、フィルタ係数を変更した場合の価格情報や、支払い期限などの情報を最適化端末（501）に送信することも可能である。そして、サービス事業者は、最適化端末（501）を操作し、保守サーバ（503）のサービス事業者（事業者ＩＤａ）専用フォルダにアクセスする。そして、サービス事業者（事業者ＩＤａ）が使用する無線基地局（基地局ＩＤａ）に関するセル設定情報や統計情報や使用情報をデータサーバ（502）にダウンロードする。これにより、データサーバ（502）は、図１９に示すように、サービス事業者（事業者ＩＤａ）が使用する無線基地局（基地局ＩＤａ）に該当するセル設定情報と、統計情報と、をセル（セルＩＤａ、ＩＤｂ）毎に管理することが可能となる。なお、図１９では、使用情報は、基地局ＩＤに関係付けて管理することにしたが、使用情報が、セル毎に異なる場合には、使用情報をセルＩＤに関係付けて管理するように構築することになる。
【０１４５】
次に、最適化端末（501）は、データサーバ（502）で管理しているセル設定情報と、統計情報と、を基に、輻輳制御が発生した時間帯を特定する。そして、最適化端末（501）は、上記特定した時間帯の情報（電力瞬時値、輻輳制御閾値）を基に、図８に示すように、新規の瞬時値グラフ（304）を作成する（ステップS102）。
【０１４６】
次に、最適化端末（501）は、図１７に示すステップS102において作成した新規の瞬時値グラフ（304）のフィルタ係数を決定するための判断基準となる平均値グラフを作成する（ステップS6）。
【０１４７】
なお、本実施形態では、データサーバ（502）は、図１１に示すように、平均値グラフを作成するための平均値グラフ作成情報（電力瞬時値、フィルタ係数）を、平均値グラフ識別情報に関係付けて複数管理することになる。そして、最適化端末（501）は、データサーバ（502）を参照し、図１１に示す平均値グラフ作成情報（電力瞬時値、フィルタ係数）をデータサーバ（502）から取得し、その取得した平均値グラフ作成情報を基に、図１２に示す平均値グラフ（301）〜（303）を作成する。
【０１４８】
次に、最適化端末（501）は、フィルタ係数選択の第１段階として、図８に示す新規の瞬時値グラフ（304）と、図１２に示す平均値グラフ（301）〜（303）と、を比較し、その比較結果が所定の誤差の範囲内（例えば、誤差が約５％以内）で一致する平均値グラフを特定する。そして、最適化端末（501）は、その特定した平均値グラフのフィルタ係数を選択する（ステップS7）。
【０１４９】
例えば、最適化端末（501）は、図８に示す新規の瞬時値グラフ（304）の電力瞬時値の時間平均値と、図１２に示す平均値グラフ（301）〜（303）の電力瞬時値の時間平均値と、を比較し、新規の瞬時値グラフ（304）の時間平均値と値が近接する時間平均値の平均値グラフを特定する。そして、最適化端末（501）は、その特定した平均値グラフのフィルタ係数を選択する。
【０１５０】
なお、本実施形態では、図８に示す新規の瞬時値グラフ（304）の時間平均値は、図１２（ｂ）に示す平均値グラフ（302）の時間平均値と近接することになる。このため、最適化端末（501）は、平均値グラフ（302）の電力平均値を算出する際に使用したフィルタ係数ｋ２を選択することになる。
【０１５１】
次に、最適化端末（501）は、フィルタ係数選択の第２段階として、上記第１段階で選択したフィルタ係数ｋ２の微調整を行うことになる。この場合、最適化端末（501）は、フィルタ係数ｋ２を使用して算出した新規の瞬時値グラフ（304）の電力平均値：Ｆ（ｎ）が、新規の瞬時値グラフ（304）の輻輳制御閾値と近接するように、フィルタ係数ｋ２を微調整する（ｋ２−Δｋ）。そして、最適化端末（501）は、その微調整したフィルタ係数ｋ２−Δｋを新たなフィルタ係数に決定する（ステップS8）。
【０１５２】
次に、最適化端末（501）は、新規の瞬時値グラフ（304）のセルＩＤを基に、上記の第２段階で決定した新たなフィルタ係数ｋ２−Δｋを、保守サーバ（503）と、データサーバ（502）と、に保存する（ステップS103）。これにより、最適化端末（501）は、保守サーバ（503）と、データサーバ（502）と、に保存しているセル設定情報のフィルタ係数を、新たなフィルタ係数ｋ２−Δｋに更新することが可能となる。
【０１５３】
なお、最適化端末（501）は、上記のステップS7の処理で、輻輳制御閾値を、新規の瞬時値グラフ（304）の時間平均値よりも高く設定変更した場合には、その設定変更後の輻輳制御閾値を、保守サーバ（503）と、データサーバ（502）と、に保存する。これにより、最適化端末（501）は、保守サーバ（503）と、データサーバ（502）と、に保存しているセル設定情報の輻輳制御閾値も、新たな輻輳制御閾値に更新することが可能となる。
【０１５４】
なお、上記のフィルタ係数の更新方法は、特に限定するものではなく、あらゆる方法が適用可能である。例えば、サービス事業者は、最適化端末（501）を操作し、新規の瞬時値グラフ（304）のセルＩＤと、新たなフィルタ係数と、を保守サーバ（503）の専用フォルダにアップロードする。そして、サービス事業者は、最適化端末（501）を操作し、保守サーバ（503）の専用フォルダにアップロードした旨を保守端末（103）に送信する。通信事業者は、保守端末（103）を操作し、保守サーバ（503）の専用フォルダの内容を確認し、保守サーバ（503）に保存しているセル設定情報のフィルタ係数を、新たなフィルタ係数に更新する。この場合、通信事業者は、保守端末（103）を操作し、新たなフィルタ係数の変更を受領した旨の受領内容を、サービス事業者の最適化端末（501）に送信する。また、通信事業者は、フィルタ係数を変更した場合の価格情報に相当する代金の支払いをサービス事業者に行う。
【０１５５】
なお、保守サーバ（503）は、保守サーバ（503）で管理しているセル設定情報を更新する場合には、その更新時に、サービス事業者が、図１８に示す更新対象セルの『使用情報』を満たしているか否かを判断し、サービス事業者が『使用情報』を満たしている場合に、セル設定情報を更新することになる。
【０１５６】
次に、保守サーバ（503）または保守端末（103）は、保守サーバ（503）に保存されているセル設定情報の中で、フィルタ係数の更新が行われたセルＩＤを特定し、その特定したセルＩＤのフィルタ係数を設定変更するための変更コマンドを作成する。この場合、保守サーバ（503）または保守端末（103）は、輻輳制御閾値の更新が行われている場合には、輻輳制御閾値を設定変更するための変更コマンドも作成することになる。そして、保守サーバ（503）または保守端末（103）は、上記作成した変更コマンドを無線ネットワーク制御局（104）に送信する（ステップS10）。
【０１５７】
なお、上記変更コマンドの作成や送信方法は、特に限定するものではなく、あらゆる方法が適用可能である。例えば、人手操作で、保守サーバ（503）または保守端末（103）が変更コマンドを作成し、その作成した変更コマンドを無線ネットワーク制御局（104）に送信することも可能である。また、自動的に、保守サーバ（503）または保守端末（103）が変更コマンドを作成し、その作成した変更コマンドを無線ネットワーク制御局（104）に送信することも可能である。
【０１５８】
無線ネットワーク制御局（104）は、変更コマンドを受け付けた場合に、その変更コマンドを基に、無線ネットワーク制御局（104）で管理している図４に示すセル設定情報を変更する。そして、無線ネットワーク制御局（104）は、変更後のフィルタ係数ｋ２−Δｋを使用し、電力平均値（電力瞬時値の平均値）を算出する。そして、無線ネットワーク制御局（104）は、その算出した電力平均値が輻輳制御閾値を超過したか否かを判断することになる（ステップS11）。
【０１５９】
無線ネットワーク制御局（104）は、電力平均値が輻輳制御閾値を超過したと判断した場合は（ステップS12／Yes）、セルに対する輻輳制御を開始する（ステップS13）。この場合、無線ネットワーク制御局（104）は、輻輳制御を開始する対象セルのセルＩＤと、輻輳制御の開始通知と、を無線基地局（105）に送信する。
【０１６０】
無線基地局（105）は、セルＩＤと、輻輳制御の開始通知と、を受け付けた場合に、そのセルＩＤに該当する対象セルの通信規制を開始し、対象セルと、無線端末（107）と、の間の新規の接続を拒否する。また、無線基地局（105）は、対象セル内で通信中の無線端末（107）の通信速度を低く規制するように制御する（ステップS14）。これにより、無線基地局（105）は、対象セルが輻輳した場合に、電力増加を防止することが可能となる。
【０１６１】
なお、無線ネットワーク制御局（104）は、上記ステップS13で輻輳制御を開始した後に、対象セルの電力平均値が輻輳制御閾値よりも低くなったと判断した場合には（ステップS12／No）、輻輳制御を解除する（ステップS15）。この場合、無線ネットワーク制御局（104）は、輻輳制御を解除する対象セルのセルＩＤと、輻輳制御の解除通知と、を無線基地局（105）に送信する。
【０１６２】
無線基地局（105）は、セルＩＤと、輻輳制御の解除通知と、を受け付けた場合に、そのセルＩＤに該当する対象セルの通信規制を解除し、対象セルと、無線端末（107）と、の間の新規の接続を許容する。また、無線基地局（105）は、対象セル内で通信中の無線端末（107）の通信速度の規制を解除する。
【０１６３】
次に、保守サーバ（503）または保守端末（103）は、ステップS3、S4と同様な処理を行い、フィルタ係数変更後の統計情報を、無線ネットワーク制御局（104）から収集し、該収集した統計情報をセル毎に保守サーバ（503）に管理する（ステップS16、S17）。そして、保守サーバ（503）または保守端末（103）は、保守サーバ（503）で管理しているフィルタ係数変更後の統計情報と、フィルタ係数変更前の統計情報と、を比較し、輻輳制御回数の減少を確認することになる（ステップS18）。
【０１６４】
なお、保守サーバ（503）または保守端末（103）は、輻輳制御回数の減少を確認できない場合には、再度、フィルタ係数の変更を行うように制御することも可能である。例えば、保守サーバ（503）または保守端末（103）は、フィルタ係数変更後の統計情報を、無線ネットワーク制御局（104）から定期的に収集し、その定期的に収集した統計情報に含まれる輻輳制御回数を確認する。そして、保守サーバ（503）または保守端末（103）は、輻輳制御回数の減少を確認できない場合には、無線ネットワーク制御局（104）において継続的に輻輳制御が発生していると判断し、再度、フィルタ係数の変更を行うように制御する。
【０１６５】
また、保守サーバ（503）または保守端末（103）は、無線ネットワーク制御局（104）のフィルタ係数の設定変更を繰り返し、フィルタ係数を所定の値（例えば、最大値）に設定変更しても、輻輳制御回数の減少を確認できない場合には、無線基地局（105）の電力容量が限界値に到達したと判断する。そして、保守サーバ（503）または保守端末（103）は、無線基地局（105）を増設するように制御する。これにより、無線基地局（105）の電力容量が限界値に到達したか否かを正確に判断し、無線基地局（105）の増設の必要性の可否を正確に判断することが可能となる。その結果、無線基地局（105）の設備投資費用を削減することが可能となる。
【０１６６】
＜本実施形態の無線通信システムにおける作用・効果＞
このように、本実施形態における無線通信システムでは、電力平均値を算出する際に使用するフィルタ係数を、複数の事業者が設定変更する。これにより、フィルタ係数を１つの事業者が一括して設定変更するのではなく、複数の事業者が分散して設定変更することが可能となるため、フィルタ係数の設定変更の処理を分散することが可能となる。また、各事業者に応じたフィルタ係数に設定変更することが可能となるため、様々な状況に対応可能なフィルタ係数に設定変更することが可能となる。また、効率的にフィルタ係数を決定することが可能なサービス事業者が、そのフィルタ係数を設定変更することが可能となるため、無線基地局（105）の設備投資を削減することが可能となる。また、無線基地局（105）を設置するベンダーがフィルタ係数の設定変更も行うことで、無線基地局（105）の設置からフィルタ係数の設定変更までの総合的なサービスを通信事業者に提供することが可能となる。
【０１６７】
（第３の実施形態）
次に、第３の実施形態について説明する。
【０１６８】
第１の実施形態における無線通信システムは、図３に示すように、最適化端末（101）が、電力平均値を算出する際に使用するフィルタ係数を決定することにした（ステップS5〜S9）。
【０１６９】
第３の実施形態における無線通信システムは、第１の実施形態の最適化端末（101）が行った図３に示すステップS5〜S9の処理動作を、図２０に示すように、保守端末（103）または保守サーバ（102）が行うことを特徴とする。このように、本実施形態における無線通信システムでは、保守端末（103）または保守サーバ（102）が、フィルタ係数を決定する係数決定装置として機能することで、図２に示す最適化端末（101）を設けることなく、図２１に示すようなシステム構成でも、第１の実施形態と同様な処理を行うことが可能となる。
【０１７０】
（第４の実施形態）
次に、第４の実施形態について説明する。
【０１７１】
第１〜第３の実施形態における無線通信システムでは、図２に示す無線基地局（105）がセルの電力瞬時値を測定し、その測定した電力瞬時値の情報（時間帯、電力瞬時値）を無線ネットワーク制御局（104）に送信する。そして、無線ネットワーク制御局（104）は、フィルタ係数を使用し、電力平均値（電力瞬時値を平均化した値）を算出し、その算出した電力平均値を基に、輻輳が発生したか否かを判断し、その判断結果に応じて輻輳制御を行うことにした。このように、第１〜第３の実施形態における無線通信システムでは、輻輳が発生したか否かの判断処理を、無線ネットワーク制御局（104）で行うことにした。
【０１７２】
第４の実施形態における無線通信システムでは、輻輳が発生したか否かの判断処理を、無線ネットワーク制御局（104）で行うのではなく、無線基地局（105）で行うことを特徴とする。これにより、無線ネットワーク制御局（104）で行う処理を分散することが可能となり、無線ネットワーク制御局（104）の処理の負荷を低減することが可能となる。
【０１７３】
なお、第４の実施形態における無線通信システムでは、輻輳が発生したか否かの判断処理を、無線基地局（105）で行うことになる。このため、上位装置である最適化端末（101）、保守端末（103）、保守サーバ（102）等で決定した新たなフィルタ係数を、無線基地局（105）に設定することになる。これにより、無線基地局（105）は、フィルタ係数を決定する係数決定装置として機能する上位装置（101、102、103等）で決定した新たなフィルタ係数を基に、輻輳制御を行うことが可能となる。その結果、無線基地局（105）は、電力瞬時値が一時的に輻輳制御閾値を超過した状態では、輻輳が発生したと判断せず、無線基地局（105）の電力容量の有効活用を図ることが可能となる。以下、図２２を参照しながら、第４の実施形態における無線通信システムについて詳細に説明する。
【０１７４】
第４の実施形態における無線通信システムのシステム構成は、上述した第１〜第３の実施形態と同様なシステム構成が適用可能である。なお、第４の実施形態における無線通信システムでは、無線基地局（105）と、無線ネットワーク制御局（104）と、の間の処理動作が異なることになる。このため、本実施形態では、図２に示すシステム構成例を基に、無線基地局（105）と、無線ネットワーク制御局（104）と、の間の処理動作について説明する。
【０１７５】
本実施形態における無線基地局（105）は、図２２に示すように、セル設定情報（輻輳制御閾値、フィルタ係数）を管理することになる。そして、無線基地局（105）は、各セルの電力瞬時値を測定し、その測定した電力瞬時値の電力平均値を、フィルタ係数を使用して算出する。無線基地局（105）は、電力平均値が輻輳制御閾値を超過したか否かを判断し、電力平均値が輻輳制御閾値を超過したと判断した場合に、輻輳発生通知を、無線ネットワーク制御局（104）に送信し、セル（例えば、セルＩＤａ）が輻輳状態になった旨を通知する。無線ネットワーク制御局（104）は、輻輳発生通知を受信した場合に、セル（セルＩＤａ）に対する輻輳制御を開始する。
【０１７６】
また、無線基地局（105）は、上述した状態で、電力平均値が輻輳制御閾値を超過していないと判断した場合に、輻輳解除通知を、無線ネットワーク制御局（104）に送信し、セル（セルＩＤａ）が安定状態になった旨を通知する。無線ネットワーク制御局（104）は、輻輳解除通知を受信した場合に、セル（セルＩＤａ）に対する輻輳制御を解除する。このように、本実施形態における無線通信システムでは、無線ネットワーク制御局（104）は、輻輳発生通知、輻輳解除通知に基づいて、輻輳制御の開始及び解除を制御することになる。
【０１７７】
なお、本実施形態における無線通信システムでは、フィルタ係数を決定する係数決定装置として機能する上位装置（101、102、103等）で決定した新たなフィルタ係数を無線基地局（105）に送信し、無線基地局（105）で管理している図２２に示すセル設定情報を設定変更する。これにより、無線基地局（105）は、設定変更された新たなフィルタ係数を用いて、上述した処理を行うことになる。その結果、無線基地局（105）は、電力瞬時値が一時的に輻輳制御閾値を超過した状態では、輻輳が発生したと判断せず、輻輳発生通知を送信することがないため、無線基地局（105）の電力容量の有効活用を図ることが可能となる。
【０１７８】
なお、上述する実施形態は、本発明の好適な実施形態であり、上記実施形態のみに本発明の範囲を限定するものではなく、本発明の要旨を逸脱しない範囲において当業者が上記実施形態の修正や代用を行い、種々の変更を施した形態を構築することが可能である。
【０１７９】
例えば、上述した実施形態では、フィルタ係数を決定する係数決定装置として機能する上位装置（101、102、103等）で決定した新たなフィルタ係数を、無線ネットワーク制御局（104）に送信し、無線ネットワーク制御局（104）で管理しているセル設定情報を設定変更することにした。また、上位装置（101、102、103等）で決定した新たなフィルタ係数を、無線基地局（105）に送信し、無線基地局（105）で管理しているセル設定情報を設定変更することにした。しかし、無線ネットワーク制御局（104）や無線基地局（105）がフィルタ係数を決定する係数決定装置として機能するように構築することも可能である。この場合、無線ネットワーク制御局（104）は、まず、無線基地局（105）が測定した電力瞬時値の情報を収集する。そして、その収集した電力瞬時値の情報の中から輻輳が発生する電力瞬時値の情報を特定し、その特定した電力瞬時値の情報に応じたフィルタ係数を選択し、該選択したフィルタ係数を、新たなフィルタ係数に決定することになる。そして、無線ネットワーク制御局（104）は、無線ネットワーク制御局（104）で管理しているセル設定情報のフィルタ係数を新たなフィルタ係数に設定変更する。これにより、無線ネットワーク制御局（104）は、自立的に、フィルタ係数を設定変更し、その設定変更した新たなフィルタ係数を使用して電力平均値を算出し、輻輳が発生したか否かを判断することが可能となる。
【０１８０】
また、無線基地局（105）の場合には、まず、電力瞬時値を測定する。そして、その測定した電力瞬時値の情報の中から輻輳が発生する電力瞬時値の情報を特定し、その特定した電力瞬時値の情報に応じたフィルタ係数を選択し、該選択したフィルタ係数を、新たなフィルタ係数に決定することになる。そして、無線基地局（105）は、無線基地局（105）で管理しているセル設定情報のフィルタ係数を新たなフィルタ係数に設定変更する。これにより、無線基地局（105）は、自立的に、フィルタ係数を設定変更し、その設定変更した新たなフィルタ係数を使用して電力平均値を算出し、輻輳が発生したか否かを判断することが可能となる。
【０１８１】
また、上述した本実施形態における無線通信システムを構成する各装置における制御動作は、ハードウェア、または、ソフトウェア、あるいは、両者の複合構成を用いて実行することも可能である。
【０１８２】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【０１８３】
例えば、プログラムは、記録媒体としてのハードディスクやＲＯＭ（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、ＣＤ−ＲＯＭ（Compact Disc Read Only Memory）、ＭＯ（Magneto optical）ディスク、ＤＶＤ（Digital Versatile Disc）、磁気ディスク、半導体メモリなどが挙げられる。
【０１８４】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【０１８５】
また、本実施形態における無線通信システムは、上記実施形態で説明した処理動作に従って時系列的に実行されるのみならず、処理を実行する装置の処理能力、あるいは、必要に応じて並列的にあるいは個別に実行するように構築することも可能である。
【０１８６】
また、本実施形態における無線通信システムは、複数の装置の論理的集合構成にしたり、各構成の装置が同一筐体内に存在する構成にしたりするように構築することも可能である。
【産業上の利用可能性】
【０１８７】
本発明にかかる係数決定装置、無線通信システム、係数決定方法及び係数決定プログラムは、第Ｎ（Ｎは、任意の整数）世代の通信システム、例えば、第２世代、第３世代の通信システムに適用可能である。
【図面の簡単な説明】
【０１８８】
【図１】本実施形態における無線通信システムのシステム構成例を示す図である。
【図２】第１の実施形態における無線通信システムのシステム構成例を示す図である。
【図３】第１の実施形態の無線通信システムにおける一連の処理動作例を示す図である。
【図４】無線ネットワーク制御局（104）で管理するセル設定情報（輻輳制御閾値、フィルタ係数）の一例を示す図である。
【図５】無線ネットワーク制御局（104）で管理する統計情報（時間帯、電力瞬時値、輻輳制御回数）の一例を示す図である。
【図６】保守サーバ（102）で管理するセル設定情報の一例を示す図である。
【図７】保守サーバ（102）で管理する統計情報の一例を示す図である。
【図８】電力瞬時値が輻輳制御閾値を超過した時間帯の新規の瞬時値グラフ（304）の一例を示す図である。
【図９】無線基地局（105）で計測した電力瞬時値の一例を示す図である。
【図１０】電力瞬時値が輻輳制御閾値を超過している時間帯を特定する方法を説明するための図である。
【図１１】保守サーバ（102）で管理する平均値グラフ作成情報の一例を示す図である。
【図１２】新規の瞬時値グラフ（304）のフィルタ係数を決定するための判断基準となる平均値グラフの一例を示す図である。
【図１３】フィルタ係数選択の第１段階の処理動作例を示す図である。
【図１４】フィルタ係数選択の第２段階の処理動作例を示す図である。
【図１５】各種のフィルタ係数を使用して算出した新規の瞬時値グラフ（304）の電力平均値を示す図である。
【図１６】第２の実施形態における無線通信システムのシステム構成例を示す図である。
【図１７】第２の実施形態の無線通信システムにおける一連の処理動作例を示す図である。
【図１８】保守サーバ（503）で管理するセル設定情報の一例を示す図である。
【図１９】データサーバ（502）で管理するセル設定情報と、統計情報と、の一例を示す図である。
【図２０】第３の実施形態の無線通信システムにおける一連の処理動作例を示す図である。
【図２１】第３の実施形態における無線通信システムのシステム構成例を示す図である。
【図２２】無線基地局（105）で管理するセル設定情報の一例を示す図である。
【図２３】本発明と関連する一般的な輻輳制御方法を説明するための図である。
【符号の説明】
【０１８９】
１    収集部
２    決定部
１０１、５０１    最適化端末
１０２、５０３    保守サーバ（管理手段）
１０３    保守端末
１０４    無線ネットワーク制御局
１０５    無線基地局
１０６    コアネットワーク
１０７    無線端末
５０２    データサーバ（管理手段）
【図１】
0005145852.tif 000002
【図２】
0005145852.tif 000003
【図３】
0005145852.tif 000004
【図４】
0005145852.tif 000005
【図５】
0005145852.tif 000006
【図６】
0005145852.tif 000007
【図７】
0005145852.tif 000008
【図８】
0005145852.tif 000009
【図９】
0005145852.tif 000010
【図１０】
0005145852.tif 000011
【図１１】
0005145852.tif 000012
【図１２】
0005145852.tif 000013
【図１３】
0005145852.tif 000014
【図１４】
0005145852.tif 000015
【図１５】
0005145852.tif 000016
【図１６】
0005145852.tif 000017
【図１７】
0005145852.tif 000018
【図１８】
0005145852.tif 000019
【図１９】
0005145852.tif 000020
【図２０】
0005145852.tif 000021
【図２１】
0005145852.tif 000022
【図２２】
0005145852.tif 000023
【図２３】
0005145852.tif 000024